(57)【要約】  入力部（１０１）は、コンテンツの入力を受け付ける。取得部（１０２）は、入力部（１０１）によって入力されたコンテンツのフォーマットの変換に関するフォーマット情報を取得する。変換部（１０３）は、取得部（１０２）によって取得されたフォーマット情報から、コンテンツのフォーマットを複数の異なるフォーマットに変換する。そして、設定部（１０４）は、変換部（１０３）によって変換された前記複数の異なるフォーマットのうち、一のフォーマットのコンテンツを再生可能に設定し、一のフォーマットとは異なる他のフォーマットのコンテンツを再生不可能に設定し、記録部（１０５）は、設定部（１０４）によって設定されたコンテンツを記録する。
2008096437.tif 000002
【特許請求の範囲】
【請求項１】
コンテンツの入力を受け付ける入力手段と、
前記入力手段によって入力されたコンテンツのフォーマットの変換に関するフォーマット情報を取得する取得手段と、
前記取得手段によって取得されたフォーマット情報から、前記コンテンツのフォーマットを複数の異なるフォーマットに変換する変換手段と、
前記変換手段によって変換された前記複数の異なるフォーマットのうち、一のフォーマットの前記コンテンツを再生可能に設定し、当該一のフォーマットとは異なる他のフォーマットの前記コンテンツを再生不可能に設定する設定手段と、
前記設定手段によって設定された前記コンテンツを記録する記録手段と、
を備えることを特徴とする情報記録装置。
【請求項２】
前記変換手段は、
前記コンテンツの取得要求をおこなう、当該コンテンツの再生機器が再生可能なフォーマットに応じて、前記コンテンツのフォーマットを変換することを特徴とする請求項１に記載の情報記録装置。
【請求項３】
前記変換手段は、
前記再生機器からの取得要求の履歴に関する履歴情報に応じて、前記コンテンツのフォーマットを変換することを特徴とする請求項２に記載の情報記録装置。
【請求項４】
前記コンテンツを再生する再生機器から、当該コンテンツの取得要求があった場合、前記複数の異なるフォーマットに当該再生機器が再生可能なフォーマットがあるか否かを判定する判定手段を有し、
前記設定手段は、
前記判定手段によって、前記他のフォーマットに前記再生機器が再生可能なフォーマットが含まれる場合、当該他のフォーマットのうち当該再生機器が再生可能なフォーマットのコンテンツを再生可能に設定し、前記一のフォーマットのコンテンツを再生不可能に設定することを特徴とする請求項１に記載の情報記録装置。
【請求項５】
前記入力手段は、
前記コンテンツの複製に関する制限が設定された当該コンテンツの入力を受け付け、
前記入力手段によって入力された複製に関する制限にしたがい、前記コンテンツを再生する再生機器からの当該コンテンツの複製を要求する前記取得要求に応じて、当該再生機器が再生可能な当該コンテンツの複製を当該再生機器に出力する出力手段を備えることを特徴とする請求項４に記載の情報記録装置。
【請求項６】
前記設定手段は、
前記出力手段によって、前記再生機器が再生可能なフォーマットのコンテンツの複製が出力された後、前記一のフォーマットを再生可能に再設定し、当該再生機器が再生可能なフォーマットを再生不可能に再設定することを特徴とする請求項５に記載の情報記録装置。
【請求項７】
前記入力手段は、
前記コンテンツの転送に関する制限が設定された当該コンテンツの入力を受け付け、
前記入力手段によって入力された転送に関する制限にしたがい、前記コンテンツを再生する再生機器から、当該コンテンツの転送を要求する前記取得要求に応じて、当該再生機器が再生可能な当該コンテンツを当該再生機器に転送出力する出力手段を備えることを特徴とする請求項４に記載の情報記録装置。
【請求項８】
前記出力手段によって前記コンテンツが転送された後、前記再生機器とは異なる他の再生機器からの前記コンテンツの取得要求があった場合、当該再生機器に当該コンテンツの返却要求をおこなう要求手段と、
前記判定手段は、
前記要求手段によって返却要求がされた結果、前記コンテンツが返却された場合、前記他の再生機器が再生可能なフォーマットがあるか否か判定し、
前記設定手段は、
前記判定手段によって、前記他の再生機器が再生可能なフォーマットがある場合、当該他の再生機器が再生可能なフォーマットのコンテンツを再生可能に設定し、当該他の再生機器が再生可能なフォーマットのコンテンツ以外を再生不可能に設定し、
前記出力手段は、
前記入力手段によって入力された転送に関する制限にしたがい、前記他の再生機器からの前記コンテンツの取得要求に応じて、当該他の再生機器が再生可能な当該コンテンツを当該他の再生機器に転送出力することを特徴とする請求項７に記載の情報記録装置。
【請求項９】
コンテンツの入力を受け付ける入力工程と、
前記入力工程によって入力されたコンテンツのフォーマットの変換に関するフォーマット情報を取得する取得工程と、
前記取得工程によって取得されたフォーマット情報から、前記コンテンツのフォーマットを複数の異なるフォーマットに変換する変換工程と、
前記変換工程によって変換された前記複数の異なるフォーマットのうち、一のフォーマットの前記コンテンツを再生可能に設定し、当該一のフォーマットとは異なる他のフォーマットの前記コンテンツを再生不可能に設定する設定工程と、
前記設定工程によって設定された前記コンテンツを記録する記録工程と、
を含むことを特徴とする情報記録方法。
【請求項１０】
請求項９に記載の情報記録方法をコンピュータに実行させることを特徴とする情報記録プログラム。
【請求項１１】
請求項１０に記載の情報記録プログラムを記録したことを特徴とするコンピュータに読み取り可能な記録媒体。
【発明の詳細な説明】
【技術分野】
【０００１】
この発明は、情報を記録する情報記録装置、情報記録方法、情報記録プログラムおよびコンピュータに読み取り可能な記録媒体に関する。ただし、この発明の利用は、上述した情報記録装置、情報記録方法、情報記録プログラムおよびコンピュータに読み取り可能な記録媒体には限られない。
【背景技術】
【０００２】
従来より、放送局から発信される放送コンテンツを録画機で録画する場合は、その録画機に適したフォーマットで録画することとなる。そして、録画した放送コンテンツを再生する再生デバイスに転送やコピー送信をする際には、再生デバイスで再生できるフォーマットに変換してから、転送あるいはコピー送信をおこなう。【０００３】
近年では、「１世代のみコピー可」のコンテンツに対して、利用者の利便性と著作権者の権利保護の両立を達成するため、受信したコンテンツを、いずれかの記録媒体へムーブ可能な蓄積ファイルと、特定の記録媒体へのみムーブが可能なムーブ用蓄積ファイルとして蓄積する提案がされている（たとえば、下記特許文献１参照。）。【０００４】
【特許文献１】特開２００６−２４４６０３号公報
【発明の開示】
【発明が解決しようとする課題】
【０００５】
しかしながら、上述した従来技術では、録画機によって録画した放送コンテンツのフォーマットと、再生デバイスで再生できるフォーマットが異なる場合、再生デバイスに転送やコピー送信をする際におこなうフォーマット変換処理に多大な時間がかかってしまうという問題が一例として挙げられる。【０００６】
一方、フォーマット変換処理を短時間でおこなうように高性能の機器を導入する場合、利用者に多大なコストを強いることになってしまうという問題が一例として挙げられる。さらに、低解像度のフォーマット変換処理などにより、処理負荷を低減させて短時間でおこなう場合、放送コンテンツの品質が損なわれてしまい、利用者は、放送コンテンツの快適な視聴をおこなうことができないという問題が一例として挙げられる。【０００７】
また、上述した特許文献１の技術では、再生するデバイスのフォーマットは考慮されていないため、蓄積ファイルやムーブ用蓄積ファイルのフォーマットが、再生デバイスで再生できるフォーマットでない場合、結局フォーマット変換処理をおこなわなければならないという問題が一例として挙げられる。
【課題を解決するための手段】
【０００８】
上述した課題を解決し、目的を達成するため、請求項１の発明にかかる情報記録装置は、コンテンツの入力を受け付ける入力手段と、前記入力手段によって入力されたコンテンツのフォーマットの変換に関するフォーマット情報を取得する取得手段と、前記取得手段によって取得されたフォーマット情報から、前記コンテンツのフォーマットを複数の異なるフォーマットに変換する変換手段と、前記変換手段によって変換された前記複数の異なるフォーマットのうち、一のフォーマットの前記コンテンツを再生可能に設定し、当該一のフォーマットとは異なる他のフォーマットの前記コンテンツを再生不可能に設定する設定手段と、前記設定手段によって設定された前記コンテンツを記録する記録手段と、を備えることを特徴とする。【０００９】
また、請求項９の発明にかかる情報記録方法は、コンテンツの入力を受け付ける入力工程と、前記入力工程によって入力されたコンテンツのフォーマットの変換に関するフォーマット情報を取得する取得工程と、前記取得工程によって取得されたフォーマット情報から、前記コンテンツのフォーマットを複数の異なるフォーマットに変換する変換工程と、前記変換工程によって変換された前記複数の異なるフォーマットのうち、一のフォーマットの前記コンテンツを再生可能に設定し、当該一のフォーマットとは異なる他のフォーマットの前記コンテンツを再生不可能に設定する設定工程と、前記設定工程によって設定された前記コンテンツを記録する記録工程と、を含むことを特徴とする。【００１０】
また、請求項１０の発明にかかる情報記録プログラムは、請求項９に記載の情報記録方法をコンピュータに実行させることを特徴とする。【００１１】
また、請求項１１の発明にかかるコンピュータに読み取り可能な記録媒体は、請求項１０に記載の情報記録プログラムを記録したことを特徴とする。
【図面の簡単な説明】
【００１２】
【図１】図１は、本実施の形態にかかる情報記録装置の機能的構成の一例を示すブロック図である。
【図２】図２は、本実施の形態にかかる情報記録装置の処理の内容を示すフローチャートである。
【図３】図３は、本実施例１にかかる録画装置を用いたコンテンツ録画システムの概要を示す説明図である。
【図４】図４は、本実施例１にかかる録画装置のハードウェア構成の一例を示すブロック図である。
【図５】図５は、本実施例１にかかる録画装置によるコンテンツの録画の概要を示す説明図である。
【図６】図６は、本実施例１にかかる録画装置における再生端末からの転送要求の概要を示す説明図である。
【図７】図７は、本実施例１にかかる録画装置における再生端末からのフォーマット情報の受信の概要を示す説明図である。
【図８】図８は、本実施例１にかかる録画装置におけるコンテンツの転送の概要を示す説明図である。
【図９】図９は、本実施例１にかかる録画装置におけるコンテンツの返却の概要を示す説明図である。
【図１０】図１０は、本実施例１にかかる録画装置におけるコンテンツの返却後の概要を示す説明図である。
【図１１】図１１は、本実施例１にかかる録画装置のコンテンツの録画処理手順について示すフローチャートである。
【図１２】図１２は、本実施例１にかかる録画装置のコンテンツの転送処理手順について示すフローチャートである。
【図１３】図１３は、本実施例１にかかる録画装置のコンテンツの再生処理手順について示すフローチャートである。
【図１４】図１４は、本実施例２にかかる録画装置によるコンテンツのコピーの送信の概要を示す説明図である。
【図１５】図１５は、本実施例２にかかる録画装置におけるコンテンツのコピーの送信後の概要を示す説明図である。
【図１６】図１６は、本実施例２にかかる録画装置のコンテンツのコピーの送信処理手順について示すフローチャートである。
【符号の説明】
【００１３】
１００  情報記録装置
１０１  入力部
１０２  取得部
１０３  変換部
１０４  設定部
１０５  記録部
１０６  判定部
１０７  出力部
【発明を実施するための最良の形態】
【００１４】
以下に添付図面を参照して、この発明にかかる情報記録装置、情報記録方法、情報記録プログラムおよびコンピュータに読み取り可能な記録媒体の好適な実施の形態を詳細に説明する。【００１５】
（実施の形態）
（情報記録装置の機能的構成）
図１を用いて、本実施の形態にかかる情報記録装置の機能的構成について説明する。図１は、本実施の形態にかかる情報記録装置の機能的構成の一例を示すブロック図である。【００１６】
図１において、情報記録装置１００は、入力部１０１と、取得部１０２と、変換部１０３と、設定部１０４と、記録部１０５と、判定部１０６と、出力部１０７と、から構成されている。【００１７】
入力部１０１は、コンテンツの入力を受け付ける。入力部１０１は、たとえば、図示しない放送局から配信されるデジタル放送波やアナログ放送波による放送コンテンツや、他の記録媒体からの映像・音声コンテンツの入力を受け付ける。【００１８】
具体的には、たとえば、入力部１０１は、コンテンツの複製に関する制限が設定されたコンテンツの入力を受け付ける構成でもよい。複製に関する制限は、たとえば、コンテンツの複製の回数などの制限でもよい。また、入力部１０１は、たとえば、コンテンツの転送に関する制限が設定されたコンテンツの入力を受け付ける構成でもよい。転送に関する制限は、たとえば、コンテンツの転送のみを許可して、複製の生成を不許可とする制限などでもよい。【００１９】
取得部１０２は、入力部１０１によって入力されたコンテンツのフォーマットの変換に関するフォーマット情報を取得する。フォーマット情報は、たとえば、情報記録装置１００やコンテンツを再生する再生機器によってコンテンツを再生可能なフォーマットの情報であり、複数のフォーマットの情報を含むこととしてもよい。【００２０】
変換部１０３は、取得部１０２によって取得されたフォーマット情報から、コンテンツのフォーマットを複数の異なるフォーマットに変換する。換言すれば、たとえば、変換部１０３によって、複数の異なるフォーマットの複数のコンテンツが生成されることとなる。ここで、異なるフォーマットとは、たとえば、コンテンツ圧縮方式の異なるフォーマットである。また、たとえば、同一のフォーマットであっても解像度や圧縮率が異なる場合は、異なるフォーマットであることとする。【００２１】
具体的には、たとえば、変換部１０３は、コンテンツの取得要求をおこなう、コンテンツの再生機器が再生可能なフォーマットに応じて、コンテンツのフォーマットを変換することとしてもよい。ここで、再生機器は、たとえば、情報記録装置１００からコンテンツの転送や複製を取得することで、該コンテンツを再生する機器で、情報記録装置１００そのものであってもよい。【００２２】
換言すれば、たとえば、変換部１０３は、コンテンツのフォーマットを、情報記録装置１００がコンテンツを再生可能なフォーマットやコンテンツを再生する可能性のある再生機器がコンテンツを再生可能なフォーマットなどに変換する。【００２３】
また、変換部１０３は、たとえば、再生機器からの取得要求の履歴に関する履歴情報に応じて、コンテンツのフォーマットを変換することとしてもよい。履歴情報は、たとえば、コンテンツを再生するために、再生機器が情報記録装置１００にコンテンツの取得要求をおこなった頻度や日時などに関する情報でもよい。【００２４】
具体的には、たとえば、変換部１０３は、履歴情報に応じたコンテンツのフォーマットの変換で、再生する可能性の高い再生機器、再生に適した再生機器のフォーマットに優先的に変換することとなり、処理時間の効率化を図って、適切なフォーマット変換を行うことができる。【００２５】
なお、図１の説明では、変換部１０３は、取得されたフォーマット情報から、放送コンテンツの変換を行っているが、取得部１０２によって、変換部１０３がフォーマット変換するフォーマットのフォーマット情報のみを取得することとしてもよい。具体的には、たとえば、取得部１０２は、コンテンツの再生機器が再生可能なフォーマットや、再生機器からの取得要求の履歴に関する履歴情報などに応じてフォーマット情報を取得することとしてもよい。【００２６】
また、変換部１０３は、複数の異なるフォーマットに変換する際、倍速処理によってコンテンツを同時に複数のフォーマットに変換したり、再生機器が再生可能なフォーマットや履歴情報に応じて順次変換することとしてもよい。このようにすれば、迅速なフォーマット変換、コンテンツの再生の可能性や頻度の高い順のフォーマット変換を実現でき、フォーマット変換処理の最適化を図ることができる。【００２７】
設定部１０４は、変換部１０３によって変換された複数の異なるフォーマットのうち、一のフォーマットのコンテンツを再生可能に設定し、一のフォーマットとは異なる他のフォーマットのコンテンツを再生不可能に設定する。このようにすることで、コンテンツが無秩序に再生可能に複数存在しなくなり、著作権の保護を図ることができる。【００２８】
また、設定部１０４は、たとえば、後述する判定部１０６によって、他のフォーマットに再生機器が再生可能なフォーマットが含まれる場合、他のフォーマットのうち再生機器が再生可能なフォーマットのコンテンツを再生可能に設定し、一のフォーマットのコンテンツを再生不可能に設定することとしてもよい。【００２９】
また、設定部１０４は、後述する出力部１０７によって、再生機器が再生可能なフォーマットのコンテンツの複製が出力された後、一のフォーマットを再生可能に再設定し、再生機器が再生可能なフォーマットを再生不可能に再設定することとしてもよい。【００３０】
記録部１０５は、設定部１０４によって設定されたコンテンツを記録する。具体的には、たとえば、記録部１０５は、複数の異なるフォーマットの複数のコンテンツを図示しない記録媒体に記録する。【００３１】
判定部１０６は、コンテンツを再生する再生機器から、コンテンツの取得要求があった場合、複数の異なるフォーマットに再生機器が再生可能なフォーマットがあるか否かを判定する。具体的には、たとえば、取得要求は、コンテンツを再生する再生機器からのコンテンツの複製の要求やコンテンツの転送の要求などであり、図示しない操作部による利用者の操作入力や、情報記録装置１００への再生機器の接続を検知することによっておこなう構成でもよい。【００３２】
出力部１０７は、入力部１０１によって入力された複製に関する制限にしたがい、前記コンテンツを再生する再生機器からのコンテンツの複製を要求する取得要求に応じて、再生機器が再生可能なコンテンツの複製を当該再生機器に出力する。【００３３】
また、出力部１０７は、入力部１０１によって入力された転送に関する制限にしたがい、コンテンツを再生する再生機器から、コンテンツの転送を要求する取得要求に応じて、再生機器が再生可能なコンテンツを再生機器に転送出力することとしてもよい。【００３４】
さらに、情報記録装置１００は、出力部１０７によってコンテンツが転送された後、再生機器とは異なる他の再生機器からのコンテンツの取得要求があった場合、再生機器にコンテンツの返却要求をおこなうこととしてもよい。【００３５】
その場合、判定部１０６は、返却要求がされた結果、コンテンツが返却された場合、他の再生機器が再生可能なフォーマットがあるか否か判定し、設定部１０４は、他の再生機器が再生可能なフォーマットがある場合、他の再生機器が再生可能なフォーマットのコンテンツを再生可能に設定し、他の再生機器が再生可能なフォーマットのコンテンツ以外を再生不可能に設定する。そして、出力部１０７は、入力部１０１によって入力された転送に関する制限にしたがい、他の再生機器からのコンテンツの取得要求に応じて、他の再生機器が再生可能なコンテンツを他の再生機器に転送出力する構成としてもよい。【００３６】
（情報記録装置１００の処理の内容）
つぎに、図２を用いて、本実施の形態にかかる情報記録装置１００の処理の内容について説明する。図２は、本実施の形態にかかる情報記録装置の処理の内容を示すフローチャートである。図２のフローチャートにおいて、まず、入力部１０１によって、コンテンツの入力を受け付けたか否かを判断する（ステップＳ２０１）。【００３７】
ステップＳ２０１において、コンテンツの入力を受け付けるのを待って、受け付けた場合（ステップＳ２０１：Ｙｅｓ）は、取得部１０２によって、ステップＳ２０１において入力されたコンテンツのフォーマットの変換に関するフォーマット情報を取得する（ステップＳ２０２）。【００３８】
つぎに、変換部１０３によって、ステップＳ２０２において取得されたフォーマット情報から、コンテンツのフォーマットを変換する（ステップＳ２０３）。具体的には、たとえば、変換部１０３によって、ステップＳ２０１において入力されたコンテンツが、複数の異なるフォーマットの複数のコンテンツに変換されることとなる。【００３９】
そして、設定部１０４によって、ステップＳ２０３においてフォーマットの変換されたコンテンツに対して、再生に関する設定をおこなう（ステップＳ２０４）。再生に関する設定は、たとえば、ステップＳ２０３において変換された複数の異なるフォーマットのうち、一のフォーマットのコンテンツを再生可能に設定し、一のフォーマットとは異なる他のフォーマットのコンテンツを再生不可能に設定する。【００４０】
そして、記録部１０５によって、ステップＳ２０４において設定されたコンテンツを図示しない記録媒体に記録して（ステップＳ２０５）、一連の処理を終了する。【００４１】
なお、本発明の情報記録装置、情報記録方法、情報記録プログラムおよびコンピュータに読み取り可能な記録媒体は、図１に示した情報記録装置１００によって、その機能を実現することとしたが、情報記録装置１００に限ることはなく、図１に示す機能部を備える構成とすれば、複数の装置であってもよい。各機能部を異なる装置として接続する場合、装置間の接続は、たとえば、有線、無線を問わず、Ｂｌｕｅｔｏｏｔｈ（登録商標）などによって通信をおこなって接続することとしてもよい。【００４２】
以上説明したように、本実施の形態にかかる情報記録装置、情報記録方法、情報記録プログラムおよびコンピュータに読み取り可能な記録媒体によれば、再生機器が再生可能なフォーマットに応じたフォーマットのコンテンツの記録の迅速化および最適化を図り、再生するコンテンツの出力の効率化を図ることができる。
【実施例１】
【００４３】
以下に、本発明の実施例１について説明する。本実施例１では、たとえば、利用者の自宅などに設置され、外部から送信されるコンテンツの録画機能および再生機能を有する録画装置によって、本発明の情報記録装置を実施した場合の一例について説明する。【００４４】
（コンテンツの録画の概要）
まず、図３を用いて、本実施例１にかかる録画装置を用いたコンテンツ録画システムの概要について説明する。図３は、本実施例１にかかる録画装置を用いたコンテンツ録画システムの概要を示す説明図である。【００４５】
図３において、コンテンツ録画システム３００は、録画装置３０１と、コンテンツ配信装置３０２と、再生端末３０３（３０３ａ，３０３ｂ）と、から構成されている。録画装置３０１と、コンテンツ配信装置３０２とは、ネットワーク３１０によって接続されている。【００４６】
コンテンツ配信装置３０２は、図示しない放送局などに設置されており、利用者の録画装置３０１に対して、ネットワーク３１０を介してコンテンツを配信する。具体的には、たとえば、コンテンツ配信装置３０２は、地上波デジタル放送やアナログテレビ放送やＦＭラジオなどの放送波によってコンテンツを配信する。【００４７】
また、コンテンツ配信装置３０２によって配信されるコンテンツには、配信先における視聴に関する制限が設定されていることとしてもよい。具体的には、たとえば、コンテンツの複製を生成する回数の制限や、コンテンツの転送の可否に関する制限などが設定されており、これら制限によって、コンテンツの著作権の保護が図られることとなる。【００４８】
録画装置３０１は、コンテンツ配信装置３０２から受信されるコンテンツを録画する。具体的には、たとえば、録画装置３０１は、利用者の操作入力に応じて、コンテンツの録画をおこなう。より具体的には、たとえば、地上デジタルテレビ放送を受信する場合、利用者は、番組が配信される時間帯やチャンネルなどを指定して録画操作をおこなう。【００４９】
また、録画装置３０１は、受信されたコンテンツのフォーマットを、複数の異なるフォーマットに変換して録画する。詳細は、図５〜図１０、図１４および図１５を用いて説明するが、具体的には、たとえば、録画装置３０１は、受信されたコンテンツのフォーマットを、録画装置３０１における図示しない再生部が再生可能なフォーマットを含む複数の異なるフォーマットのコンテンツに変換する。【００５０】
より具体的には、たとえば、複数の異なるフォーマットは、異なるコーデックや、同一のコーデックの異なる解像度や圧縮率によって変換される。また、複数の異なるフォーマットは、たとえば、後述する再生端末３０３の性能や、再生端末３０３からのコンテンツの要求に関する履歴に応じたフォーマットでもよい。換言すれば、フォーマットの変換は、受信されたコンテンツのフォーマットを、録画装置３０１で通常再生するのに適したフォーマット、再生端末３０３で再生する可能性のあるフォーマットなどに変換することとしてもよい。【００５１】
ここで、コンテンツのフォーマット変換処理は、たとえば、受信されたコンテンツの録画と同時におこなうこととしてもよい。すなわち、受信されたコンテンツのフォーマットを、録画装置３０１に適したフォーマットに変換して録画しつつ、他のフォーマットの変換処理もおこなう構成でもよい。このように、２つのフォーマットであれば２倍速処理、３つのフォーマットであれば３倍速処理によってフォーマット変換処理をおこなうことで、複数の異なるフォーマットのコンテンツを迅速に録画（記録）することができる。【００５２】
また、複数のフォーマット変換処理を同時におこなう代わりに、受信されたコンテンツの録画の際に、バッファメモリなどを利用して順次異なるフォーマットのコンテンツに変換することとしてもよい。このとき、フォーマット変換処理の順序は、たとえば、後述する再生端末３０３の性能や、再生端末３０３からのコンテンツの要求に関する履歴に応じることとしてもよい。【００５３】
このようなフォーマット変換処理によって、録画装置３０１や再生端末３０３による再生に必要なフォーマットのコンテンツを、迅速かつ最適に録画することができる。ここで、コンテンツ配信装置３０２によって配信されるコンテンツに対し、複製を生成する回数の制限や、転送の可否に関する制限などの録画制限が設定されている場合がある。【００５４】
詳細は、図５〜図１０、図１４および図１５を用いて説明するが、録画制限が設定されている場合、複数の異なるフォーマットのコンテンツのうち、録画装置３０１での再生に適したフォーマットのコンテンツをアクティブに設定し、他のフォーマットのコンテンツを非アクティブに設定する構成としてもよい。【００５５】
アクティブに設定されたコンテンツは、再生、コピーおよび転送などの処理が可能であり、非アクティブに設定されたコンテンツは、再生、コピーおよび転送などの処理が不可能となる。具体的には、たとえば、再生処理が不可能となる設定は、再生不可のフラグを立てることであったり、不図示のアクティブ／非アクティブの設定機能部にしか解けないキーなどによって暗号化することなどである。このように、非アクティブに設定されたコンテンツの存在は、ユーザインターフェイス上では、利用者は、取り扱えないようにしてもよい。【００５６】
アクティブ／非アクティブの設定処理によって、たとえば、異なる複数のフォーマットに変換して複数のコンテンツを生成する処理が、複製の回数の制限による回数のカウントの対象となってしまい、無駄に複製の回数を消化しないようにすることができる。すなわち、アクティブ（有効）なコンテンツは１つだけであるとし、他は非アクティブ（無効）とすることで制限の適用を受けないようにする。【００５７】
そして、後述する再生端末３０３から取得（たとえば、コピーや転送）の要求を受けた際に、複製を生成する回数の制限や、転送の可否に関する制限にしたがって、再生端末３０３に適したフォーマットのコンテンツをアクティブに設定して要求に応じる構成としてもよい。このようにすることで、録画装置３０１は、コンテンツの著作権者の著作権の保護を適切に図ると共に、再生端末３０３に適したフォーマットのコンテンツをあらかじめ用意することができ、効率的なコンテンツの出力をおこなうことができる。【００５８】
なお、本実施例１では、アクティブに設定するコンテンツの数を、録画装置３０１に適したフォーマットのコンテンツとして１つとしたが、録画制限に応じて複数設定してもよい。また、複製の回数に関する制限がある場合、いずれか一つのフォーマットのコンテンツをアクティブとするのみではなく、実際にコピーした回数分、元の録画装置３０１の非アクティブのコンテンツを増やす（アクティブのコンテンツを減らす）構成でもよい。【００５９】
再生端末３０３は、録画装置３０１に接続して、録画されたコンテンツを取得する。そして、取得されたコンテンツを再生する。コンテンツの取得は、たとえば、再生端末３０３が再生可能なフォーマットのコンテンツを取得する構成であり、実施例１では録画装置３０１からの転送出力、後述する実施例２では録画装置からのコピー出力によって取得する。【００６０】
具体的には、たとえば、コンテンツの取得は、録画装置３０１に対してコンテンツの取得（たとえば、コピーや転送）の要求をおこなったり、接続したことにより取得の要求がおこなわれる構成でもよい。録画装置３０１との接続は、たとえば、有線、無線に限ることなく、インターネットなどのネットワークなどでもよい。【００６１】
ネットワーク３１０は、インターネットなどの通信網であり、有線、無線を限定するものではない。具体的には、たとえば、これら通信網には、ＬＡＮ、ＷＡＮ、公衆回線網や携帯電話網などがあり、地上波デジタル放送やアナログテレビ放送やＦＭラジオなどを受信可能である。【００６２】
なお、本実施例１では、録画装置３０１によって録画されるコンテンツは、コンテンツ配信装置３０２によって配信されるコンテンツとしたが、他の記録媒体や外部機器から出力される映像や音声などのコンテンツであってもよい。【００６３】
（録画装置３０１のハードウェア構成）
つぎに、図４を用いて、本実施例１にかかる録画装置３０１のハードウェア構成について説明する。図４は、本実施例１にかかる録画装置のハードウェア構成の一例を示すブロック図である。【００６４】
図４において、録画装置３０１は、ＣＰＵ４０１と、ＲＯＭ４０２と、ＲＡＭ４０３と、磁気ディスクドライブ４０４と、磁気ディスク４０５と、光ディスクドライブ４０６と、光ディスク４０７と、音声Ｉ／Ｆ（インターフェース）４０８と、スピーカ４０９と、入力デバイス４１０と、映像Ｉ／Ｆ４１１と、ディスプレイ４１２と、通信Ｉ／Ｆ４１３と、を備えている。また、各構成部４０１〜４１３はバス４２０によってそれぞれ接続されている。【００６５】
まず、ＣＰＵ４０１は、録画装置３０１の全体の制御を司る。ＲＯＭ４０２は、ブートプログラム、録画プログラム、音声出力プログラム、表示制御プログラムなどの各種プログラムを記録している。また、ＲＡＭ４０３は、ＣＰＵ４０１のワークエリアとして使用される。【００６６】
録画プログラムは、たとえば、入力デバイス４１０によって入力されるコンテンツの録画の指示に応じて、後述する磁気ディスク４０５や光ディスク４０７などの記録媒体にコンテンツを記録させる。【００６７】
より具体的には、たとえば、コンテンツの録画は、利用者が入力デバイス４１０を操作して、録画するテレビ番組の開始時刻や終了時刻やチャンネルなどの番組情報を入力しておこなってもよい。また、ＲＯＭ４０２あるいはＲＡＭ４０３に書き換え可能に記録されるＥＰＧ（Ｅｌｅｃｔｒｏｎｉｃ  Ｐｒｏｇｒａｍ  Ｇｕｉｄｅ）を利用して、ディスプレイ４１２に表示されるＥＰＧ番組表を利用者が選択しておこなってもよい。【００６８】
また、図５〜図１０、図１４および図１５を用いて説明するが、録画プログラムによって、たとえば、複数の異なるフォーマットに変換された複数のコンテンツを録画させる構成でもよく、ＣＰＵ４０１の制御にしたがって、アクティブ／非アクティブの設定をさせてもよい。【００６９】
音声出力プログラムは、コンテンツに含まれる音声情報を出力させる。具体的には、たとえば、音声情報は、ＣＰＵ４０１を介して音声Ｉ／Ｆ４０８へ出力される。また、表示制御プログラムは、映像Ｉ／Ｆ４１１によってディスプレイ４１２に表示するコンテンツの表示形式を決定させ、決定された表示形式によってコンテンツをディスプレイ４１２に表示させる。【００７０】
磁気ディスクドライブ４０４は、ＣＰＵ４０１の制御にしたがって磁気ディスク４０５に対するデータの読み取り／書き込みを制御する。磁気ディスク４０５は、磁気ディスクドライブ４０４の制御で書き込まれたデータを記録する。磁気ディスク４０５としては、たとえば、ＨＤ（ハードディスク）やＦＤ（フレキシブルディスク）を用いることができる。【００７１】
光ディスクドライブ４０６は、ＣＰＵ４０１の制御にしたがって光ディスク４０７に対するデータの読み取り／書き込みを制御する。光ディスク４０７は、光ディスクドライブ４０６の制御にしたがってデータの読み出される着脱自在な記録媒体である。光ディスク４０７は、書き込み可能な記録媒体を利用することもできる。また、この着脱自在な記録媒体として、光ディスク４０７のほか、ＭＯ、メモリカードなどであってもよい。【００７２】
具体的には、たとえば、磁気ディスクドライブ４０４や光ディスクドライブ４０６によるデータの書き込みは、前述したコンテンツの録画などである。データの読み取りは、たとえば、録画されたコンテンツについて、映像Ｉ／Ｆ４１１を介したディスプレイ４１２への映像表示や、音声Ｉ／Ｆ４０８を介したスピーカ４０９からの音声出力などである。また、スピーカ４０９やディスプレイ４１２からは、ＣＰＵ４０１で作成したり、通信Ｉ／Ｆ４１３から入力された各種情報が出力される構成でもよい。【００７３】
音声Ｉ／Ｆ４０８は、音声出力用のスピーカ４０９に接続され、スピーカ４０９からは音声が出力される。入力デバイス４１０は、文字、数値、各種指示などの入力のための複数のキーを備えたリモコン、キーボード、マウス、タッチパネルなどが挙げられる。【００７４】
映像Ｉ／Ｆ４１１は、ディスプレイ４１２と接続される。映像Ｉ／Ｆ４１１は、具体的には、たとえば、ディスプレイ４１２全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ４１２を表示制御する制御ＩＣなどによって構成される。【００７５】
ディスプレイ４１２には、アイコン、カーソル、メニュー、ウインドウ、あるいは文字や画像などの各種データが表示される。このディスプレイ４１２は、たとえば、ＣＲＴ、ＴＦＴ液晶ディスプレイ、プラズマディスプレイなどを採用することができる。【００７６】
通信Ｉ／Ｆ４１３は、無線を介してネットワークに接続され、録画装置３０１とＣＰＵ４０１とのインターフェースとして機能する。通信Ｉ／Ｆ４１３は、さらに、無線を介してインターネットなどの通信網に接続され、この通信網とＣＰＵ４０１とのインターフェースとしても機能する。【００７７】
通信網には、ＬＡＮ、ＷＡＮ、公衆回線網や携帯電話網などがある。具体的には、通信Ｉ／Ｆ４１３は、たとえば、地上波デジタル放送やアナログテレビ放送やＦＭラジオなどを受信可能なチューナーなどによって構成され、放送局から配信されるコンテンツなどを取得する。【００７８】
なお、本実施例１では、録画装置３０１による例について説明するが、利用者の携帯端末や、ＰＣ（パーソナル・コンピュータ）によって本発明の情報記録装置を実施するようにしてもよい。【００７９】
なお、図１に示した情報記録装置１００が備える入力部１０１、取得部１０２、変換部１０３、設定部１０４、記録部１０５、判定部１０６、出力部１０７は図４に示した録画装置３０１におけるＲＯＭ４０２、ＲＡＭ４０３、磁気ディスク４０５、光ディスク４０７などに記録されたプログラムやデータを用いて、ＣＰＵ４０１が所定のプログラムを実行し、録画装置３０１における各部を制御することによってその機能を実現する。【００８０】
すなわち、本実施例１の録画装置３０１は、録画装置３０１における記録媒体としてのＲＯＭ４０２に記録されているプログラムを実行することにより、図１に示した情報記録装置１００が備える機能を、図２に示した手順で実行することができる。【００８１】
（コンテンツの録画および転送の概要）
つぎに、図５〜１０を用いて、本実施例１にかかる録画装置３０１および再生端末３０３によるコンテンツの録画および転送の概要について説明する。図５は、本実施例１にかかる録画装置によるコンテンツの録画の概要を示す説明図である。【００８２】
図５において、録画装置３０１は、放送波５０１によって録画対象となるコンテンツを受信すると、複数のフォーマットに変換して録画する。そして、録画装置３０１に適したフォーマットのコンテンツをアクティブに設定し、その他のフォーマットのコンテンツを非アクティブに設定する。【００８３】
具体的には、たとえば、録画装置３０１は、録画対象となるコンテンツＡ、コンテンツＢ、コンテンツＣについて、それぞれフォーマット１およびフォーマット２に変換する。そして、フォーマット１に変換したコンテンツをアクティブに設定し、フォーマット２に変換したコンテンツを非アクティブに設定してそれぞれを録画する。【００８４】
より具体的には、たとえば、図５では、フォーマット１に変換したコンテンツＡ、コンテンツＢ、コンテンツＣをそれぞれＡ−１、Ｂ−１、Ｃ−１とし、フォーマット２に変換したコンテンツＡ、コンテンツＢ、コンテンツＣをそれぞれＡ−２、Ｂ−２、Ｃ−２としている。また、アクティブに設定されたコンテンツを実線で示し、非アクティブに設定されたコンテンツを破線で示している。【００８５】
つぎに、図６を用いて、本実施例１にかかる録画装置３０１における再生端末３０３からの転送要求の概要について説明する。図６は、本実施例１にかかる録画装置における再生端末からの転送要求の概要を示す説明図である。【００８６】
図６において、録画装置３０１は、再生端末３０３が接続され、利用者から録画装置３０１に録画されているコンテンツの転送要求６１０の入力を受け付ける。転送要求６１０は、たとえば、再生端末３０３を介しておこなわれ、図６では、コンテンツＡおよびコンテンツＢの転送を要求することとしている。【００８７】
つぎに、図７を用いて、本実施例１にかかる録画装置３０１における再生端末３０３のフォーマット情報の概要について説明する。図７は、本実施例１にかかる録画装置における再生端末からのフォーマット情報の受信の概要を示す説明図である。【００８８】
図７において、録画装置３０１は、再生端末３０３から再生端末３０３に適したフォーマット情報７１０を受信する。フォーマット情報７１０の受信は、たとえば、図６に示した転送要求６１０と共に受信してもよいし、録画装置３０１が転送要求６１０に応じて、再生端末３０３に対して問い合わせることとしてもよい。図７では、たとえば、録画装置３０１は、再生端末３０３に適した（再生可能な）コンテンツのフォーマットが、フォーマット２である旨のフォーマット情報７１０を受信する。【００８９】
そして、録画装置３０１は、フォーマット情報７１０を受信すると、フォーマット情報７１０に基づいて、アクティブ／非アクティブを設定する。具体的には、たとえば、アクティブ／非アクティブの設定は、転送要求６１０のあったコンテンツＡおよびコンテンツＢについて、再生端末３０３に適したフォーマット２に変換されているＡ−２およびＢ−２をアクティブに設定すると共に、Ａ−１およびＢ−１を非アクティブに設定する。【００９０】
つづいて、図８を用いて、本実施例１にかかる録画装置３０１におけるコンテンツの転送の概要について説明する。図８は、本実施例１にかかる録画装置におけるコンテンツの転送の概要を示す説明図である。【００９１】
図８において、録画装置３０１は、Ａ−２およびＢ−２を再生端末３０３へ転送出力８１０する。具体的には、たとえば、アクティブに設定された再生端末３０３に適したフォーマット２のＡ−２およびＢ−２を再生端末３０３へ転送出力８１０する。その後、再生端末３０３によって、Ａ−２およびＢ−２が再生可能となる。【００９２】
このように、録画装置３０１、再生端末３０３において、それぞれのコンテンツ（コンテンツＡ、コンテンツＢ、コンテンツＣ）に対して、アクティブが設定されているのは、常に１つだけとなり、著作権の保護を図ることができる。【００９３】
ここで、図９を用いて、本実施例１にかかる録画装置３０１におけるコンテンツの返却の概要について説明する。図９は、本実施例１にかかる録画装置におけるコンテンツの返却の概要を示す説明図である。【００９４】
図９において、再生端末３０３によってＡ−２およびＢ−２の再生が終了すると、再生端末３０３は、録画装置３０１に対して返却出力９１０をおこなう。返却出力９１０は、たとえば、録画装置３０１に対する再生指示や、録画装置３０１に対して他の再生端末３０３からＡ−２やＢ−２の転送要求があった場合における、録画装置３０１の返却要求に応じておこなうこととしてもよい。【００９５】
つぎに、図１０を用いて、本実施例１にかかる録画装置３０１におけるコンテンツの返却後の概要について説明する。図１０は、本実施例１にかかる録画装置におけるコンテンツの返却後の概要を示す説明図である。【００９６】
図１０において、録画装置３０１は、再生端末３０３からＡ−２およびＢ−２が返却されると、録画装置３０１に適したフォーマット１をアクティブに再設定し、フォーマット２を非アクティブに再設定し、再生端末３０３との接続を切断１０１０する。すなわち、Ａ−１およびＢ−１をアクティブに設定し、Ａ−２およびＢ−２を非アクティブに設定して、録画装置３０１への再生指示や、他の再生端末３０３からの転送要求に備えることとなる。【００９７】
図５〜図１０に示した例では、録画装置３０１においてフォーマット変換をおこなうフォーマットの種類は、録画装置３０１に適したフォーマット１と、再生端末３０３に適したフォーマット２について説明したが、その他のフォーマットについて変換できる構成でもよい。【００９８】
具体的には、たとえば、利用者によって接続される機器（再生端末３０３など）に適したフォーマットに変換する構成でもよく、接続された過去の履歴に基づいて、フォーマット変換をおこなってもよい。より具体的には、たとえば、より最近の接続や、頻度の高い接続の履歴となる機器に適したフォーマットを選択することとしてもよい。【００９９】
また、フォーマットの選択は、たとえば、フォーマット処理に要する時間に応じて選択してもよい。すなわち、フォーマット変換に所定以上の時間を要するフォーマットについて変換しておき、短時間で変換処理できるフォーマットは転送時にフォーマット変換を行うこととしてもよい。このように、フォーマットの選択の最適化によって、効率的な運用を図りつつ、記録容量の有効利用を実現することができる。【０１００】
（録画装置３０１の処理の内容）
つぎに、図１１〜図１３を用いて、本実施例１にかかる録画装置３０１の処理の内容について説明する。図１１は、本実施例１にかかる録画装置のコンテンツの録画処理手順について示すフローチャートである。図１１のフローチャートにおいて、まず、通信Ｉ／Ｆ４１３によって、コンテンツを受信する（ステップＳ１１０１）。コンテンツの受信は、たとえば、図３に示したコンテンツ配信装置３０２によって配信されるコンテンツを受信することとしてもよい。【０１０１】
そして、入力デバイス４１０によって、コンテンツの録画の指示を受け付けたか否かを判断する（ステップＳ１１０２）。コンテンツの録画の指示は、たとえば、利用者によって、コンテンツの配信される時間帯やチャンネルなどの予約を受け付けることとしてもよい。【０１０２】
ステップＳ１１０２において、録画の指示を受け付けない場合は（ステップＳ１１０２：Ｎｏ）、ステップＳ１１０１へ戻って処理を繰り返し、ステップＳ１１０２において録画の指示を受け付けた場合（ステップＳ１１０２：Ｙｅｓ）は、ＣＰＵ４０１によって録画フォーマット情報を取得する（ステップＳ１１０３）。録画フォーマット情報の取得は、たとえば、録画装置３０１に接続された再生端末３０３の履歴情報に基づいて取得することとしてもよい。【０１０３】
つぎに、磁気ディスク４０５や光ディスク４０７などの記録媒体によって、録画フォーマット情報に応じてコンテンツを録画する（ステップＳ１１０４）。具体的には、たとえば、コンテンツの録画は、ステップＳ１１０１において受信されたコンテンツを、ステップＳ１１０２において受け付けた録画の指示に応じてコンテンツを録画する際、録画フォーマット情報におけるフォーマットに変換して記録する構成でもよい。【０１０４】
そして、ＣＰＵ４０１によってステップＳ１１０４において実行されている録画が終了したか否かを判断する（ステップＳ１１０５）。ステップＳ１１０５において、録画が終了していない場合（ステップＳ１１０５：Ｎｏ）は、ステップＳ１１０４へ戻って、録画を継続する。【０１０５】
また、ステップＳ１１０５において、録画が終了した場合（ステップＳ１１０５：Ｙｅｓ）は、ＣＰＵ４０１によって、ステップＳ１１０４において録画されたコンテンツに対して、アクティブ／非アクティブを設定して（ステップＳ１１０６）、一連の録画処理を終了する。【０１０６】
図１２は、本実施例１にかかる録画装置のコンテンツの転送処理手順について示すフローチャートである。図１２のフローチャートにおいて、まず、通信Ｉ／Ｆ４１３によって、再生端末３０３から転送要求を受け付けたか否かを判断する（ステップＳ１２０１）。【０１０７】
ステップＳ１２０１において、転送要求を受け付けるのを待って、受け付けた場合（ステップＳ１２０１：Ｙｅｓ）は、通信Ｉ／Ｆ４１３によって、転送要求の要求元となった再生端末３０３に適したフォーマットに関するフォーマット情報を取得する（ステップＳ１２０２）。【０１０８】
そして、ＣＰＵ４０１によって、ステップＳ１２０１において受け付けた転送要求による転送対象コンテンツがあるか否かを判断する（ステップＳ１２０３）。具体的には、たとえば、図１１に示したステップＳ１１０４において録画されたコンテンツの中に転送対象コンテンツがあるか検索する。【０１０９】
ステップＳ１２０３において、転送対象コンテンツがある場合（ステップＳ１２０３：Ｙｅｓ）は、ＣＰＵ４０１によって、転送対象コンテンツのフォーマットに関して、アクティブ／非アクティブを設定する（ステップＳ１２０４）。【０１１０】
具体的には、たとえば、アクティブ／非アクティブの設定は、転送要求の要求元の再生端末３０３に適したフォーマットがアクティブに設定されていれば、そのままの設定を維持する。また、転送要求の要求元の再生端末３０３に適したフォーマットが非アクティブに設定されていれば、アクティブに設定されたアクティブコンテンツを非アクティブに設定し、非アクティブに設定された非アクティブコンテンツのうち再生端末３０３に適したフォーマットの非アクティブコンテンツをアクティブコンテンツに設定する。【０１１１】
また、アクティブ／非アクティブを設定する際に、再生端末３０３に適したフォーマットのコンテンツがない場合は、アクティブに設定されたコンテンツを非アクティブに設定すると共に、再生端末３０３に適したフォーマットに変換したコンテンツを生成して、アクティブに設定することとしてもよい。【０１１２】
そして、通信Ｉ／Ｆ４１３によって、再生端末３０３に、ステップＳ１２０４においてアクティブに設定されたアクティブコンテンツを転送し（ステップＳ１２０５）、一連の転送処理を終了する。【０１１３】
また、ステップＳ１２０３において、転送対象コンテンツがない場合（ステップＳ１２０３：Ｎｏ）は、通信Ｉ／Ｆ４１３によって、再生端末３０３に転送不可通知をおこない（ステップＳ１２０６）、一連の転送処理を終了する。【０１１４】
図１３は、本実施例１にかかる録画装置のコンテンツの再生処理手順について示すフローチャートである。図１３のフローチャートにおいて、まず、入力デバイス４１０によって、コンテンツの再生指示を受け付けたか否かを判断する（ステップＳ１３０１）。再生指示は、たとえば、利用者によって入力される、録画装置３０１に録画されているコンテンツの再生指示である。【０１１５】
ステップＳ１３０１において、再生指示を受け付けるのを待って、受け付けた場合（ステップＳ１３０１：Ｙｅｓ）は、ＣＰＵ４０１によって、再生指示を受け付けたコンテンツがアクティブコンテンツか否かを判断する（ステップＳ１３０２）。【０１１６】
ステップＳ１３０２において、アクティブコンテンツであった場合（ステップＳ１３０２：Ｙｅｓ）は、ステップＳ１３０５へ移行して、スピーカ４０９やディスプレイ４１２によって、該アクティブコンテンツを再生して（ステップＳ１３０５）、一連の再生処理を終了する。【０１１７】
ステップＳ１３０２において、アクティブコンテンツでなかった場合（ステップＳ１３０２：Ｎｏ）は、ＣＰＵ４０１によって、録画装置３０１と接続可能な再生端末３０３にアクティブコンテンツがあるか否かを判断する（ステップＳ１３０３）。すなわち、ステップＳ１３０１において再生指示を受け付けたコンテンツが非アクティブコンテンツであった場合、他の再生端末にアクティブコンテンツを転送した後であるため、アクティブコンテンツを接続可能な再生端末３０３から検索することとなる。【０１１８】
ステップＳ１３０３において、録画装置３０１と接続可能な再生端末３０３にアクティブコンテンツがなかった場合（ステップＳ１３０３：Ｎｏ）は、スピーカ４０９やディスプレイ４１２によって、利用者に再生不可通知をおこない（ステップＳ１３０６）、一連の転送処理を終了する。【０１１９】
また、ステップＳ１３０３において、録画装置３０１と接続可能な再生端末３０３にアクティブコンテンツがあった場合（ステップＳ１３０３：Ｙｅｓ）は、通信Ｉ／Ｆ４１３によって、アクティブコンテンツの返却を受け付ける（ステップＳ１３０４）。アクティブコンテンツの返却は、たとえば、再生端末３０３に対して返却要求をおこなうことによって実行する構成でもよい。【０１２０】
そして、スピーカ４０９やディスプレイ４１２によって、ステップＳ１３０４において返却されたアクティブコンテンツを再生して（ステップＳ１３０５）、一連の再生処理を終了する。【０１２１】
以上説明したように、本実施例１にかかる録画装置によれば、たとえば、配信されるコンテンツ（配信される一のコンテンツ）を異なる複数のフォーマットで録画するため、複数のフォーマットのうち、録画装置に適したフォーマットとは異なるフォーマットでコンテンツを再生する再生端末が該コンテンツを要求した場合、あらかじめ、当該再生端末に適したフォーマットのコンテンツが用意されていることから、迅速に再生端末にその適したフォーマットのコンテンツを転送することができる。すなわち、再生端末がコンテンツを要求してからフォーマット変換処理をおこなわなくてもよく、効率的にコンテンツを転送することができる。【０１２２】
また、異なる複数のフォーマットは、録画装置に接続される再生機器の性能や、接続された再生機器の履歴に応じて選択される構成であるため、録画するコンテンツのフォーマットの最適化を図ることができる。【０１２３】
また、複数のフォーマットのコンテンツを録画する際には、複製を生成する回数の制限や、転送の可否に関する制限に応じて、アクティブ／非アクティブを設定することができるため、適切に著作権者の保護を図ると共に、回数の制限を無駄に消費することなく、利用者の利便性を高めることができる。くわえて、コンテンツの転送の際にも、アクティブ／非アクティブを設定することで、適切に著作権の保護を図ることができる。
【実施例２】
【０１２４】
つぎに、本発明の実施例２について説明する。本実施例２では、前述の実施例１で説明した録画装置３０１によって録画されたコンテンツについて、再生端末３０３へコピーの送信をおこなう場合について説明する。なお、本実施例２にかかる録画装置３０１を用いたコンテンツ録画システム３００の概要については図３、録画装置３０１のハードウェア構成については図４とそれぞれほぼ同様であるため説明を省略する。【０１２５】
（コンテンツのコピーの送信の概要）
ここで、図１４および図１５を用いて、本実施例２にかかる録画装置３０１および再生端末３０３によるコンテンツのコピーの送信の概要について説明する。本実施例２では、コンテンツの録画の概要については、図５とほぼ同様であり、コンテンツのコピーの送信要求については、図６における転送要求をコピーの送信要求とすることで同様の機能を実現し、フォーマット情報の受信の概要については、図７とほぼ同様であるため説明を省略する。【０１２６】
図１４は、本実施例２にかかる録画装置によるコンテンツのコピーの送信の概要を示す説明図である。なお、図１４では、前述の図５〜図１０に示した構成と同様の構成については、同じ符号を付して説明する。【０１２７】
図１４において、録画装置３０１は、Ａ−２およびＢ−２のコピーであるＡ−２（１）およびＢ−２（１）を再生端末３０３へ出力１４１０する。具体的には、たとえば、アクティブに設定された再生端末３０３に適したフォーマット２のＡ−２およびＢ−２のコピーであるＡ−２（１）およびＢ−２（１）を生成し、再生端末３０３へ出力１４１０する。その後、再生端末３０３によって、Ａ−２（１）およびＢ−２（１）が再生可能となる。【０１２８】
このように、録画装置３０１、再生端末３０３において、それぞれのコンテンツ（コンテンツＡ、コンテンツＢ、コンテンツＣ）に対して、コピーの回数の制限にしたがって、アクティブに設定し、著作権の保護を図ることができる。【０１２９】
つぎに、図１５を用いて、本実施例２にかかる録画装置３０１におけるコンテンツのコピーの送信後の概要について説明する。図１５は、本実施例２にかかる録画装置におけるコンテンツのコピーの送信後の概要を示す説明図である。【０１３０】
図１５において、録画装置３０１は、再生端末３０３にＡ−２（１）およびＢ−２（１）を送信すると、録画装置３０１に適したフォーマット１をアクティブに再設定し、フォーマット２を非アクティブに再設定する。すなわち、Ａ−１およびＢ−１をアクティブに設定し、Ａ−２およびＢ−２を非アクティブに設定して、録画装置３０１への再生指示や、他の再生端末３０３からのコピーの送信要求に備えることとなる。【０１３１】
（録画装置３０１の処理の内容）
つぎに、図１６を用いて、本実施例２にかかる録画装置３０１の処理の内容について説明する。なお、コンテンツの録画処理については、図１１とほぼ同様であるため説明を省略する。図１６は、本実施例２にかかる録画装置のコンテンツのコピーの送信処理手順について示すフローチャートである。図１６のフローチャートにおいて、まず、通信Ｉ／Ｆ４１３によって、再生端末３０３からコピー要求を受け付けたか否かを判断する（ステップＳ１６０１）。【０１３２】
ステップＳ１６０１において、コピー要求を受け付けるのを待って、受け付けた場合（ステップＳ１６０１：Ｙｅｓ）は、通信Ｉ／Ｆ４１３によって、コピー要求の要求元となった再生端末３０３に適したフォーマットに関するフォーマット情報を取得する（ステップＳ１６０２）。【０１３３】
そして、ＣＰＵ４０１によって、ステップＳ１６０１において受け付けたコピー要求によるコピー可能なコンテンツがあるか否かを判断する（ステップＳ１６０３）。具体的には、たとえば、図１１に示したステップＳ１１０４において録画されたコンテンツにおいて設定されたコピーの回数の制限などに従って、コピー可能なコンテンツがあるか検索する。【０１３４】
ステップＳ１６０３において、コピー可能なコンテンツがある場合（ステップＳ１６０３：Ｙｅｓ）は、ＣＰＵ４０１によって、コピー可能なコンテンツのフォーマットに関して、アクティブ／非アクティブを設定する（ステップＳ１６０４）。【０１３５】
具体的には、たとえば、アクティブ／非アクティブの設定は、コピー要求の要求元の再生端末３０３に適したフォーマットがアクティブに設定されていれば、そのままの設定を維持する。また、コピー要求の要求元の再生端末３０３に適したフォーマットが非アクティブに設定されていれば、アクティブに設定されたアクティブコンテンツを非アクティブに設定し、非アクティブに設定された非アクティブコンテンツのうち再生端末３０３に適したフォーマットの非アクティブコンテンツをアクティブコンテンツに設定する。【０１３６】
また、アクティブ／非アクティブを設定する際に、再生端末３０３に適したフォーマットのコンテンツがない場合は、アクティブに設定されたコンテンツを非アクティブに設定すると共に、再生端末３０３に適したフォーマットに変換したコンテンツを生成して、アクティブに設定することとしてもよい。【０１３７】
そして、通信Ｉ／Ｆ４１３によって、再生端末３０３に、ステップＳ１６０４においてアクティブに設定されたアクティブコンテンツのコピーを送信する（ステップＳ１６０５）。【０１３８】
その後、ステップＳ１６０４において設定されたアクティブ／非アクティブを再設定して（ステップＳ１６０６）、一連のコピーの送信処理を終了する。アクティブ／非アクティブの再設定は、たとえば、録画装置３０１に適したフォーマットのコンテンツをアクティブ、他のフォーマットのコンテンツを非アクティブに設定する。【０１３９】
また、ステップＳ１６０３において、コピー可能なコンテンツがない場合（ステップＳ１６０３：Ｎｏ）は、通信Ｉ／Ｆ４１３によって、再生端末３０３にコピー不可通知をおこない（ステップＳ１６０７）、一連のコピーの送信処理を終了する。【０１４０】
以上説明したように、本実施例２にかかる録画装置によれば、たとえば、配信されるコンテンツ（配信される一のコンテンツ）を異なる複数のフォーマットで録画するため、複数のフォーマットのうち、録画装置に適したフォーマットとは異なるフォーマットでコンテンツを再生する再生端末が該コンテンツをコピーの要求した場合、あらかじめ、該再生端末に適したフォーマットのコンテンツが用意されていることから、迅速に再生端末に適したフォーマットのコンテンツのコピーを送信することができる。すなわち、再生端末がコンテンツのコピーを要求してからフォーマット変換処理をおこなわなくてもよく、効率的にコンテンツのコピーを送信することができる。【０１４１】
また、異なる複数のフォーマットは、録画装置に接続される再生機器の性能や、接続された再生機器の履歴に応じて選択される構成であるため、録画するコンテンツのフォーマットの最適化を図ることができる。【０１４２】
また、複数のフォーマットのコンテンツを録画する際には、複製を生成する回数の制限や、転送の可否に関する制限に応じて、アクティブ／非アクティブを設定することができるため、適切に著作権者の保護を図ると共に、回数の制限を無駄に消費することなく、利用者の利便性を高めることができる。くわえて、コンテンツの転送の際にも、アクティブ／非アクティブを設定することで、適切に著作権の保護を図ることができる。【０１４３】
なお、前述した実施例１および実施例２では、録画装置に録画されたコンテンツの転送とコピーの送信とに分けてそれぞれを説明したが、実施例１および実施例２の機能を兼ね備える構成としてもよい。このようにすることで、録画されたコンテンツに対する転送要求やコピーの送信要求に適切に応じることができ、利用者の利便性の向上を図ることができる。また、複製に関する制限の設定されたコンテンツと転送に関する制限の設定されたコンテンツの両方を一の録画装置で扱えることができる。【０１４４】
また、実施例１および実施例２では録画装置によって本発明の情報記録装置を実施した場合について説明したが、利用者の携帯端末や、ＰＣ（パーソナル・コンピュータ）によって実施することとしてもよく、汎用性の向上を図ることができる。【０１４５】
なお、本実施の形態で説明した情報記録方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図１】
2008096437.tif 000003
【図２】
2008096437.tif 000004
【図３】
2008096437.tif 000005
【図４】
2008096437.tif 000006
【図５】
2008096437.tif 000007
【図６】
2008096437.tif 000008
【図７】
2008096437.tif 000009
【図８】
2008096437.tif 000010
【図９】
2008096437.tif 000011
【図１０】
2008096437.tif 000012
【図１１】
2008096437.tif 000013
【図１２】
2008096437.tif 000014
【図１３】
2008096437.tif 000015
【図１４】
2008096437.tif 000016
【図１５】
2008096437.tif 000017
【図１６】
2008096437.tif 000018
【手続補正書】
【提出日】平成21年5月28日(2009.5.28)
【手続補正１】
【補正対象書類名】明細書
【補正対象項目名】全文
【補正方法】変更
【補正の内容】
【発明の詳細な説明】
【技術分野】
【０００１】
この発明は、情報を記録する情報記録再生装置、情報記録再生方法、情報記録再生プログラムおよびコンピュータに読み取り可能な記録媒体に関する。ただし、この発明の利用は、上述した情報記録再生装置、情報記録再生方法、情報記録再生プログラムおよびコンピュータに読み取り可能な記録媒体には限られない。
【背景技術】
【０００２】
従来より、放送局から発信される放送コンテンツを録画機で録画する場合は、その録画機に適したフォーマットで録画することとなる。そして、録画した放送コンテンツを再生する再生デバイスに転送やコピー送信をする際には、再生デバイスで再生できるフォーマットに変換してから、転送あるいはコピー送信をおこなう。
【０００３】
近年では、「１世代のみコピー可」のコンテンツに対して、利用者の利便性と著作権者の権利保護の両立を達成するため、受信したコンテンツを、いずれかの記録媒体へムーブ可能な蓄積ファイルと、特定の記録媒体へのみムーブが可能なムーブ用蓄積ファイルとして蓄積する提案がされている（たとえば、下記特許文献１参照。）。
【先行技術文献】
【特許文献】
【０００４】
【特許文献１】特開２００６−２４４６０３号公報
【発明の概要】
【発明が解決しようとする課題】
【０００５】
しかしながら、上述した従来技術では、録画機によって録画した放送コンテンツのフォーマットと、再生デバイスで再生できるフォーマットが異なる場合、再生デバイスに転送やコピー送信をする際におこなうフォーマット変換処理に多大な時間がかかってしまうという問題が一例として挙げられる。
【０００６】
一方、フォーマット変換処理を短時間でおこなうように高性能の機器を導入する場合、利用者に多大なコストを強いることになってしまうという問題が一例として挙げられる。さらに、低解像度のフォーマット変換処理などにより、処理負荷を低減させて短時間でおこなう場合、放送コンテンツの品質が損なわれてしまい、利用者は、放送コンテンツの快適な視聴をおこなうことができないという問題が一例として挙げられる。
【０００７】
また、上述した特許文献１の技術では、再生するデバイスのフォーマットは考慮されていないため、蓄積ファイルやムーブ用蓄積ファイルのフォーマットが、再生デバイスで再生できるフォーマットでない場合、結局フォーマット変換処理をおこなわなければならないという問題が一例として挙げられる。
【課題を解決するための手段】
【０００８】
上述した課題を解決し、目的を達成するため、請求項１の発明にかかる情報記録再生装置は、コンテンツの入力を受け付ける入力手段と、自装置に接続可能な再生機器で再生可能となるフォーマットに関するフォーマット情報を取得する取得手段と、前記入力手段によって一のコンテンツの入力を受け付けた際に、前記取得手段によって取得されたフォーマット情報に基づいて当該一のコンテンツに対するフォーマットを複数の異なるフォーマットに変換する変換手段と、前記変換手段によって変換された前記複数の異なるフォーマットのうち、自装置で再生可能となる一のフォーマットの前記一のコンテンツを、再生、複製または転送可能とするアクティブに設定し、当該一のフォーマットとは異なる他のフォーマットの前記一のコンテンツを、再生、複製または転送不可能とする非アクティブに設定する設定手段と、前記設定手段によって設定された、前記複数の異なるフォーマットに変換された前記一のコンテンツを記録する記録手段と、を備え、前記設定手段は、前記再生機器による一のコンテンツの転送、または複製要求に応じて、当該再生機器で再生可能となるフォーマットが前記他のフォーマットであった場合、当該他のフォーマットの前記一のコンテンツをアクティブに変更し、前記一のフォーマットの前記一のコンテンツを非アクティブに変更することを特徴とする。
【０００９】
また、請求項８の発明にかかる情報記録再生方法は、コンテンツの入力を受け付ける入力工程と、自装置に接続可能な再生機器で再生可能となるフォーマットに関するフォーマット情報を取得する取得工程と、前記入力工程によって一のコンテンツの入力を受け付けた際に、前記取得工程によって取得されたフォーマット情報に基づいて当該一のコンテンツに対するフォーマットを複数の異なるフォーマットに変換する変換工程と、前記変換工程によって変換された前記複数の異なるフォーマットのうち、自装置で再生可能となる一のフォーマットの前記一のコンテンツを、再生、複製または転送可能とするアクティブに設定し、当該一のフォーマットとは異なる他のフォーマットの前記一のコンテンツを、再生、複製または転送不可能とする非アクティブに設定する設定工程と、前記設定工程によって設定された、前記複数の異なるフォーマットに変換された前記一のコンテンツを記録する記録工程と、を含み、前記設定工程は、前記再生機器による一のコンテンツの転送、または複製要求に応じて、当該再生機器で再生可能となるフォーマットが前記他のフォーマットであった場合、当該他のフォーマットの前記一のコンテンツをアクティブに変更し、前記一のフォーマットの前記一のコンテンツを非アクティブに変更することを特徴とする。
【００１０】
また、請求項９の発明にかかる情報記録再生プログラムは、請求項８に記載の情報記録再生方法をコンピュータに実行させることを特徴とする。
【００１１】
また、請求項１０の発明にかかるコンピュータに読み取り可能な記録媒体は、請求項９に記載の情報記録再生プログラムを記録したことを特徴とする。
【図面の簡単な説明】
【００１２】
【図１】本実施の形態にかかる情報記録装置の機能的構成の一例を示すブロック図である。
【図２】本実施の形態にかかる情報記録装置の処理の内容を示すフローチャートである。
【図３】本実施例１にかかる録画装置を用いたコンテンツ録画システムの概要を示す説明図である。
【図４】本実施例１にかかる録画装置のハードウェア構成の一例を示すブロック図である。
【図５】本実施例１にかかる録画装置によるコンテンツの録画の概要を示す説明図である。
【図６】本実施例１にかかる録画装置における再生端末からの転送要求の概要を示す説明図である。
【図７】本実施例１にかかる録画装置における再生端末からのフォーマット情報の受信の概要を示す説明図である。
【図８】本実施例１にかかる録画装置におけるコンテンツの転送の概要を示す説明図である。
【図９】本実施例１にかかる録画装置におけるコンテンツの返却の概要を示す説明図である。
【図１０】本実施例１にかかる録画装置におけるコンテンツの返却後の概要を示す説明図である。
【図１１】本実施例１にかかる録画装置のコンテンツの録画処理手順について示すフローチャートである。
【図１２】本実施例１にかかる録画装置のコンテンツの転送処理手順について示すフローチャートである。
【図１３】本実施例１にかかる録画装置のコンテンツの再生処理手順について示すフローチャートである。
【図１４】本実施例２にかかる録画装置によるコンテンツのコピーの送信の概要を示す説明図である。
【図１５】本実施例２にかかる録画装置におけるコンテンツのコピーの送信後の概要を示す説明図である。
【図１６】本実施例２にかかる録画装置のコンテンツのコピーの送信処理手順について示すフローチャートである。
【発明を実施するための形態】
【００１３】
以下に添付図面を参照して、この発明にかかる情報記録再生装置、情報記録再生方法、情報記録再生プログラムおよびコンピュータに読み取り可能な記録媒体の好適な実施の形態を詳細に説明する。
【００１４】
（実施の形態）
（情報記録装置の機能的構成）
図１を用いて、本実施の形態にかかる情報記録装置の機能的構成について説明する。図１は、本実施の形態にかかる情報記録装置の機能的構成の一例を示すブロック図である。
【００１５】
図１において、情報記録装置１００は、入力部１０１と、取得部１０２と、変換部１０３と、設定部１０４と、記録部１０５と、判定部１０６と、出力部１０７と、から構成されている。
【００１６】
入力部１０１は、コンテンツの入力を受け付ける。入力部１０１は、たとえば、図示しない放送局から配信されるデジタル放送波やアナログ放送波による放送コンテンツや、他の記録媒体からの映像・音声コンテンツの入力を受け付ける。
【００１７】
具体的には、たとえば、入力部１０１は、コンテンツの複製に関する制限が設定されたコンテンツの入力を受け付ける構成でもよい。複製に関する制限は、たとえば、コンテンツの複製の回数などの制限でもよい。また、入力部１０１は、たとえば、コンテンツの転送に関する制限が設定されたコンテンツの入力を受け付ける構成でもよい。転送に関する制限は、たとえば、コンテンツの転送のみを許可して、複製の生成を不許可とする制限などでもよい。
【００１８】
取得部１０２は、入力部１０１によって入力されたコンテンツのフォーマットの変換に関するフォーマット情報を取得する。フォーマット情報は、たとえば、情報記録装置１００やコンテンツを再生する再生機器によってコンテンツを再生可能なフォーマットの情報であり、複数のフォーマットの情報を含むこととしてもよい。
【００１９】
変換部１０３は、取得部１０２によって取得されたフォーマット情報から、コンテンツのフォーマットを複数の異なるフォーマットに変換する。換言すれば、たとえば、変換部１０３によって、複数の異なるフォーマットの複数のコンテンツが生成されることとなる。ここで、異なるフォーマットとは、たとえば、コンテンツ圧縮方式の異なるフォーマットである。また、たとえば、同一のフォーマットであっても解像度や圧縮率が異なる場合は、異なるフォーマットであることとする。
【００２０】
具体的には、たとえば、変換部１０３は、コンテンツの取得要求をおこなう、コンテンツの再生機器が再生可能なフォーマットに応じて、コンテンツのフォーマットを変換することとしてもよい。ここで、再生機器は、たとえば、情報記録装置１００からコンテンツの転送や複製を取得することで、該コンテンツを再生する機器で、情報記録装置１００そのものであってもよい。
【００２１】
換言すれば、たとえば、変換部１０３は、コンテンツのフォーマットを、情報記録装置１００がコンテンツを再生可能なフォーマットやコンテンツを再生する可能性のある再生機器がコンテンツを再生可能なフォーマットなどに変換する。
【００２２】
また、変換部１０３は、たとえば、再生機器からの取得要求の履歴に関する履歴情報に応じて、コンテンツのフォーマットを変換することとしてもよい。履歴情報は、たとえば、コンテンツを再生するために、再生機器が情報記録装置１００にコンテンツの取得要求をおこなった頻度や日時などに関する情報でもよい。
【００２３】
具体的には、たとえば、変換部１０３は、履歴情報に応じたコンテンツのフォーマットの変換で、再生する可能性の高い再生機器、再生に適した再生機器のフォーマットに優先的に変換することとなり、処理時間の効率化を図って、適切なフォーマット変換を行うことができる。
【００２４】
なお、図１の説明では、変換部１０３は、取得されたフォーマット情報から、放送コンテンツの変換を行っているが、取得部１０２によって、変換部１０３がフォーマット変換するフォーマットのフォーマット情報のみを取得することとしてもよい。具体的には、たとえば、取得部１０２は、コンテンツの再生機器が再生可能なフォーマットや、再生機器からの取得要求の履歴に関する履歴情報などに応じてフォーマット情報を取得することとしてもよい。
【００２５】
また、変換部１０３は、複数の異なるフォーマットに変換する際、倍速処理によってコンテンツを同時に複数のフォーマットに変換したり、再生機器が再生可能なフォーマットや履歴情報に応じて順次変換することとしてもよい。このようにすれば、迅速なフォーマット変換、コンテンツの再生の可能性や頻度の高い順のフォーマット変換を実現でき、フォーマット変換処理の最適化を図ることができる。
【００２６】
設定部１０４は、変換部１０３によって変換された複数の異なるフォーマットのうち、一のフォーマットのコンテンツを再生可能に設定し、一のフォーマットとは異なる他のフォーマットのコンテンツを再生不可能に設定する。このようにすることで、コンテンツが無秩序に再生可能に複数存在しなくなり、著作権の保護を図ることができる。
【００２７】
また、設定部１０４は、たとえば、後述する判定部１０６によって、他のフォーマットに再生機器が再生可能なフォーマットが含まれる場合、他のフォーマットのうち再生機器が再生可能なフォーマットのコンテンツを再生可能に設定し、一のフォーマットのコンテンツを再生不可能に設定することとしてもよい。
【００２８】
また、設定部１０４は、後述する出力部１０７によって、再生機器が再生可能なフォーマットのコンテンツの複製が出力された後、一のフォーマットを再生可能に再設定し、再生機器が再生可能なフォーマットを再生不可能に再設定することとしてもよい。
【００２９】
記録部１０５は、設定部１０４によって設定されたコンテンツを記録する。具体的には、たとえば、記録部１０５は、複数の異なるフォーマットの複数のコンテンツを図示しない記録媒体に記録する。
【００３０】
判定部１０６は、コンテンツを再生する再生機器から、コンテンツの取得要求があった場合、複数の異なるフォーマットに再生機器が再生可能なフォーマットがあるか否かを判定する。具体的には、たとえば、取得要求は、コンテンツを再生する再生機器からのコンテンツの複製の要求やコンテンツの転送の要求などであり、図示しない操作部による利用者の操作入力や、情報記録装置１００への再生機器の接続を検知することによっておこなう構成でもよい。
【００３１】
出力部１０７は、入力部１０１によって入力された複製に関する制限にしたがい、前記コンテンツを再生する再生機器からのコンテンツの複製を要求する取得要求に応じて、再生機器が再生可能なコンテンツの複製を当該再生機器に出力する。
【００３２】
また、出力部１０７は、入力部１０１によって入力された転送に関する制限にしたがい、コンテンツを再生する再生機器から、コンテンツの転送を要求する取得要求に応じて、再生機器が再生可能なコンテンツを再生機器に転送出力することとしてもよい。
【００３３】
さらに、情報記録装置１００は、出力部１０７によってコンテンツが転送された後、再生機器とは異なる他の再生機器からのコンテンツの取得要求があった場合、再生機器にコンテンツの返却要求をおこなうこととしてもよい。
【００３４】
その場合、判定部１０６は、返却要求がされた結果、コンテンツが返却された場合、他の再生機器が再生可能なフォーマットがあるか否か判定し、設定部１０４は、他の再生機器が再生可能なフォーマットがある場合、他の再生機器が再生可能なフォーマットのコンテンツを再生可能に設定し、他の再生機器が再生可能なフォーマットのコンテンツ以外を再生不可能に設定する。そして、出力部１０７は、入力部１０１によって入力された転送に関する制限にしたがい、他の再生機器からのコンテンツの取得要求に応じて、他の再生機器が再生可能なコンテンツを他の再生機器に転送出力する構成としてもよい。
【００３５】
（情報記録装置の処理の内容）
つぎに、図２を用いて、本実施の形態にかかる情報記録装置１００の処理の内容について説明する。図２は、本実施の形態にかかる情報記録装置の処理の内容を示すフローチャートである。図２のフローチャートにおいて、まず、入力部１０１によって、コンテンツの入力を受け付けたか否かを判断する（ステップＳ２０１）。
【００３６】
ステップＳ２０１において、コンテンツの入力を受け付けるのを待って、受け付けた場合（ステップＳ２０１：Ｙｅｓ）は、取得部１０２によって、ステップＳ２０１において入力されたコンテンツのフォーマットの変換に関するフォーマット情報を取得する（ステップＳ２０２）。
【００３７】
つぎに、変換部１０３によって、ステップＳ２０２において取得されたフォーマット情報から、コンテンツのフォーマットを変換する（ステップＳ２０３）。具体的には、たとえば、変換部１０３によって、ステップＳ２０１において入力されたコンテンツが、複数の異なるフォーマットの複数のコンテンツに変換されることとなる。
【００３８】
そして、設定部１０４によって、ステップＳ２０３においてフォーマットの変換されたコンテンツに対して、再生に関する設定をおこなう（ステップＳ２０４）。再生に関する設定は、たとえば、ステップＳ２０３において変換された複数の異なるフォーマットのうち、一のフォーマットのコンテンツを再生可能に設定し、一のフォーマットとは異なる他のフォーマットのコンテンツを再生不可能に設定する。
【００３９】
そして、記録部１０５によって、ステップＳ２０４において設定されたコンテンツを図示しない記録媒体に記録して（ステップＳ２０５）、一連の処理を終了する。
【００４０】
なお、本発明の情報記録装置、情報記録方法、情報記録プログラムおよびコンピュータに読み取り可能な記録媒体は、図１に示した情報記録装置１００によって、その機能を実現することとしたが、情報記録装置１００に限ることはなく、図１に示す機能部を備える構成とすれば、複数の装置であってもよい。各機能部を異なる装置として接続する場合、装置間の接続は、たとえば、有線、無線を問わず、Ｂｌｕｅｔｏｏｔｈ（登録商標）などによって通信をおこなって接続することとしてもよい。
【００４１】
以上説明したように、本実施の形態にかかる情報記録装置、情報記録方法、情報記録プログラムおよびコンピュータに読み取り可能な記録媒体によれば、再生機器が再生可能なフォーマットに応じたフォーマットのコンテンツの記録の迅速化および最適化を図り、再生するコンテンツの出力の効率化を図ることができる。
【実施例１】
【００４２】
以下に、本発明の実施例１について説明する。本実施例１では、たとえば、利用者の自宅などに設置され、外部から送信されるコンテンツの録画機能および再生機能を有する録画装置によって、本発明の情報記録装置を実施した場合の一例について説明する。
【００４３】
（コンテンツの録画の概要）
まず、図３を用いて、本実施例１にかかる録画装置を用いたコンテンツ録画システムの概要について説明する。図３は、本実施例１にかかる録画装置を用いたコンテンツ録画システムの概要を示す説明図である。
【００４４】
図３において、コンテンツ録画システム３００は、録画装置３０１と、コンテンツ配信装置３０２と、再生端末３０３（３０３ａ，３０３ｂ）と、から構成されている。録画装置３０１と、コンテンツ配信装置３０２とは、ネットワーク３１０によって接続されている。
【００４５】
コンテンツ配信装置３０２は、図示しない放送局などに設置されており、利用者の録画装置３０１に対して、ネットワーク３１０を介してコンテンツを配信する。具体的には、たとえば、コンテンツ配信装置３０２は、地上波デジタル放送やアナログテレビ放送やＦＭラジオなどの放送波によってコンテンツを配信する。
【００４６】
また、コンテンツ配信装置３０２によって配信されるコンテンツには、配信先における視聴に関する制限が設定されていることとしてもよい。具体的には、たとえば、コンテンツの複製を生成する回数の制限や、コンテンツの転送の可否に関する制限などが設定されており、これら制限によって、コンテンツの著作権の保護が図られることとなる。
【００４７】
録画装置３０１は、コンテンツ配信装置３０２から受信されるコンテンツを録画する。具体的には、たとえば、録画装置３０１は、利用者の操作入力に応じて、コンテンツの録画をおこなう。より具体的には、たとえば、地上デジタルテレビ放送を受信する場合、利用者は、番組が配信される時間帯やチャンネルなどを指定して録画操作をおこなう。
【００４８】
また、録画装置３０１は、受信されたコンテンツのフォーマットを、複数の異なるフォーマットに変換して録画する。詳細は、図５〜図１０、図１４および図１５を用いて説明するが、具体的には、たとえば、録画装置３０１は、受信されたコンテンツのフォーマットを、録画装置３０１における図示しない再生部が再生可能なフォーマットを含む複数の異なるフォーマットのコンテンツに変換する。
【００４９】
より具体的には、たとえば、複数の異なるフォーマットは、異なるコーデックや、同一のコーデックの異なる解像度や圧縮率によって変換される。また、複数の異なるフォーマットは、たとえば、後述する再生端末３０３の性能や、再生端末３０３からのコンテンツの要求に関する履歴に応じたフォーマットでもよい。換言すれば、フォーマットの変換は、受信されたコンテンツのフォーマットを、録画装置３０１で通常再生するのに適したフォーマット、再生端末３０３で再生する可能性のあるフォーマットなどに変換することとしてもよい。
【００５０】
ここで、コンテンツのフォーマット変換処理は、たとえば、受信されたコンテンツの録画と同時におこなうこととしてもよい。すなわち、受信されたコンテンツのフォーマットを、録画装置３０１に適したフォーマットに変換して録画しつつ、他のフォーマットの変換処理もおこなう構成でもよい。このように、２つのフォーマットであれば２倍速処理、３つのフォーマットであれば３倍速処理によってフォーマット変換処理をおこなうことで、複数の異なるフォーマットのコンテンツを迅速に録画（記録）することができる。
【００５１】
また、複数のフォーマット変換処理を同時におこなう代わりに、受信されたコンテンツの録画の際に、バッファメモリなどを利用して順次異なるフォーマットのコンテンツに変換することとしてもよい。このとき、フォーマット変換処理の順序は、たとえば、後述する再生端末３０３の性能や、再生端末３０３からのコンテンツの要求に関する履歴に応じることとしてもよい。
【００５２】
このようなフォーマット変換処理によって、録画装置３０１や再生端末３０３による再生に必要なフォーマットのコンテンツを、迅速かつ最適に録画することができる。ここで、コンテンツ配信装置３０２によって配信されるコンテンツに対し、複製を生成する回数の制限や、転送の可否に関する制限などの録画制限が設定されている場合がある。
【００５３】
詳細は、図５〜図１０、図１４および図１５を用いて説明するが、録画制限が設定されている場合、複数の異なるフォーマットのコンテンツのうち、録画装置３０１での再生に適したフォーマットのコンテンツをアクティブに設定し、他のフォーマットのコンテンツを非アクティブに設定する構成としてもよい。
【００５４】
アクティブに設定されたコンテンツは、再生、コピーおよび転送などの処理が可能であり、非アクティブに設定されたコンテンツは、再生、コピーおよび転送などの処理が不可能となる。具体的には、たとえば、再生処理が不可能となる設定は、再生不可のフラグを立てることであったり、不図示のアクティブ／非アクティブの設定機能部にしか解けないキーなどによって暗号化することなどである。このように、非アクティブに設定されたコンテンツの存在は、ユーザインターフェイス上では、利用者は、取り扱えないようにしてもよい。
【００５５】
アクティブ／非アクティブの設定処理によって、たとえば、異なる複数のフォーマットに変換して複数のコンテンツを生成する処理が、複製の回数の制限による回数のカウントの対象となってしまい、無駄に複製の回数を消化しないようにすることができる。すなわち、アクティブ（有効）なコンテンツは１つだけであるとし、他は非アクティブ（無効）とすることで制限の適用を受けないようにする。
【００５６】
そして、後述する再生端末３０３から取得（たとえば、コピーや転送）の要求を受けた際に、複製を生成する回数の制限や、転送の可否に関する制限にしたがって、再生端末３０３に適したフォーマットのコンテンツをアクティブに設定して要求に応じる構成としてもよい。このようにすることで、録画装置３０１は、コンテンツの著作権者の著作権の保護を適切に図ると共に、再生端末３０３に適したフォーマットのコンテンツをあらかじめ用意することができ、効率的なコンテンツの出力をおこなうことができる。
【００５７】
なお、本実施例１では、アクティブに設定するコンテンツの数を、録画装置３０１に適したフォーマットのコンテンツとして１つとしたが、録画制限に応じて複数設定してもよい。また、複製の回数に関する制限がある場合、いずれか一つのフォーマットのコンテンツをアクティブとするのみではなく、実際にコピーした回数分、元の録画装置３０１の非アクティブのコンテンツを増やす（アクティブのコンテンツを減らす）構成でもよい。
【００５８】
再生端末３０３は、録画装置３０１に接続して、録画されたコンテンツを取得する。そして、取得されたコンテンツを再生する。コンテンツの取得は、たとえば、再生端末３０３が再生可能なフォーマットのコンテンツを取得する構成であり、実施例１では録画装置３０１からの転送出力、後述する実施例２では録画装置からのコピー出力によって取得する。
【００５９】
具体的には、たとえば、コンテンツの取得は、録画装置３０１に対してコンテンツの取得（たとえば、コピーや転送）の要求をおこなったり、接続したことにより取得の要求がおこなわれる構成でもよい。録画装置３０１との接続は、たとえば、有線、無線に限ることなく、インターネットなどのネットワークなどでもよい。
【００６０】
ネットワーク３１０は、インターネットなどの通信網であり、有線、無線を限定するものではない。具体的には、たとえば、これら通信網には、ＬＡＮ、ＷＡＮ、公衆回線網や携帯電話網などがあり、地上波デジタル放送やアナログテレビ放送やＦＭラジオなどを受信可能である。
【００６１】
なお、本実施例１では、録画装置３０１によって録画されるコンテンツは、コンテンツ配信装置３０２によって配信されるコンテンツとしたが、他の記録媒体や外部機器から出力される映像や音声などのコンテンツであってもよい。
【００６２】
（録画装置のハードウェア構成）
つぎに、図４を用いて、本実施例１にかかる録画装置３０１のハードウェア構成について説明する。図４は、本実施例１にかかる録画装置のハードウェア構成の一例を示すブロック図である。
【００６３】
図４において、録画装置３０１は、ＣＰＵ４０１と、ＲＯＭ４０２と、ＲＡＭ４０３と、磁気ディスクドライブ４０４と、磁気ディスク４０５と、光ディスクドライブ４０６と、光ディスク４０７と、音声Ｉ／Ｆ（インターフェース）４０８と、スピーカ４０９と、入力デバイス４１０と、映像Ｉ／Ｆ４１１と、ディスプレイ４１２と、通信Ｉ／Ｆ４１３と、を備えている。また、各構成部４０１〜４１３はバス４２０によってそれぞれ接続されている。
【００６４】
まず、ＣＰＵ４０１は、録画装置３０１の全体の制御を司る。ＲＯＭ４０２は、ブートプログラム、録画プログラム、音声出力プログラム、表示制御プログラムなどの各種プログラムを記録している。また、ＲＡＭ４０３は、ＣＰＵ４０１のワークエリアとして使用される。
【００６５】
録画プログラムは、たとえば、入力デバイス４１０によって入力されるコンテンツの録画の指示に応じて、後述する磁気ディスク４０５や光ディスク４０７などの記録媒体にコンテンツを記録させる。
【００６６】
より具体的には、たとえば、コンテンツの録画は、利用者が入力デバイス４１０を操作して、録画するテレビ番組の開始時刻や終了時刻やチャンネルなどの番組情報を入力しておこなってもよい。また、ＲＯＭ４０２あるいはＲＡＭ４０３に書き換え可能に記録されるＥＰＧ（Ｅｌｅｃｔｒｏｎｉｃ  Ｐｒｏｇｒａｍ  Ｇｕｉｄｅ）を利用して、ディスプレイ４１２に表示されるＥＰＧ番組表を利用者が選択しておこなってもよい。
【００６７】
また、図５〜図１０、図１４および図１５を用いて説明するが、録画プログラムによって、たとえば、複数の異なるフォーマットに変換された複数のコンテンツを録画させる構成でもよく、ＣＰＵ４０１の制御にしたがって、アクティブ／非アクティブの設定をさせてもよい。
【００６８】
音声出力プログラムは、コンテンツに含まれる音声情報を出力させる。具体的には、たとえば、音声情報は、ＣＰＵ４０１を介して音声Ｉ／Ｆ４０８へ出力される。また、表示制御プログラムは、映像Ｉ／Ｆ４１１によってディスプレイ４１２に表示するコンテンツの表示形式を決定させ、決定された表示形式によってコンテンツをディスプレイ４１２に表示させる。
【００６９】
磁気ディスクドライブ４０４は、ＣＰＵ４０１の制御にしたがって磁気ディスク４０５に対するデータの読み取り／書き込みを制御する。磁気ディスク４０５は、磁気ディスクドライブ４０４の制御で書き込まれたデータを記録する。磁気ディスク４０５としては、たとえば、ＨＤ（ハードディスク）やＦＤ（フレキシブルディスク）を用いることができる。
【００７０】
光ディスクドライブ４０６は、ＣＰＵ４０１の制御にしたがって光ディスク４０７に対するデータの読み取り／書き込みを制御する。光ディスク４０７は、光ディスクドライブ４０６の制御にしたがってデータの読み出される着脱自在な記録媒体である。光ディスク４０７は、書き込み可能な記録媒体を利用することもできる。また、この着脱自在な記録媒体として、光ディスク４０７のほか、ＭＯ、メモリカードなどであってもよい。
【００７１】
具体的には、たとえば、磁気ディスクドライブ４０４や光ディスクドライブ４０６によるデータの書き込みは、前述したコンテンツの録画などである。データの読み取りは、たとえば、録画されたコンテンツについて、映像Ｉ／Ｆ４１１を介したディスプレイ４１２への映像表示や、音声Ｉ／Ｆ４０８を介したスピーカ４０９からの音声出力などである。また、スピーカ４０９やディスプレイ４１２からは、ＣＰＵ４０１で作成したり、通信Ｉ／Ｆ４１３から入力された各種情報が出力される構成でもよい。
【００７２】
音声Ｉ／Ｆ４０８は、音声出力用のスピーカ４０９に接続され、スピーカ４０９からは音声が出力される。入力デバイス４１０は、文字、数値、各種指示などの入力のための複数のキーを備えたリモコン、キーボード、マウス、タッチパネルなどが挙げられる。
【００７３】
映像Ｉ／Ｆ４１１は、ディスプレイ４１２と接続される。映像Ｉ／Ｆ４１１は、具体的には、たとえば、ディスプレイ４１２全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ４１２を表示制御する制御ＩＣなどによって構成される。
【００７４】
ディスプレイ４１２には、アイコン、カーソル、メニュー、ウインドウ、あるいは文字や画像などの各種データが表示される。このディスプレイ４１２は、たとえば、ＣＲＴ、ＴＦＴ液晶ディスプレイ、プラズマディスプレイなどを採用することができる。
【００７５】
通信Ｉ／Ｆ４１３は、無線を介してネットワークに接続され、録画装置３０１とＣＰＵ４０１とのインターフェースとして機能する。通信Ｉ／Ｆ４１３は、さらに、無線を介してインターネットなどの通信網に接続され、この通信網とＣＰＵ４０１とのインターフェースとしても機能する。
【００７６】
通信網には、ＬＡＮ、ＷＡＮ、公衆回線網や携帯電話網などがある。具体的には、通信Ｉ／Ｆ４１３は、たとえば、地上波デジタル放送やアナログテレビ放送やＦＭラジオなどを受信可能なチューナーなどによって構成され、放送局から配信されるコンテンツなどを取得する。
【００７７】
なお、本実施例１では、録画装置３０１による例について説明するが、利用者の携帯端末や、ＰＣ（パーソナル・コンピュータ）によって本発明の情報記録装置を実施するようにしてもよい。
【００７８】
なお、図１に示した情報記録装置１００が備える入力部１０１、取得部１０２、変換部１０３、設定部１０４、記録部１０５、判定部１０６、出力部１０７は図４に示した録画装置３０１におけるＲＯＭ４０２、ＲＡＭ４０３、磁気ディスク４０５、光ディスク４０７などに記録されたプログラムやデータを用いて、ＣＰＵ４０１が所定のプログラムを実行し、録画装置３０１における各部を制御することによってその機能を実現する。
【００７９】
すなわち、本実施例１の録画装置３０１は、録画装置３０１における記録媒体としてのＲＯＭ４０２に記録されているプログラムを実行することにより、図１に示した情報記録装置１００が備える機能を、図２に示した手順で実行することができる。
【００８０】
（コンテンツの録画および転送の概要）
つぎに、図５〜１０を用いて、本実施例１にかかる録画装置３０１および再生端末３０３によるコンテンツの録画および転送の概要について説明する。図５は、本実施例１にかかる録画装置によるコンテンツの録画の概要を示す説明図である。
【００８１】
図５において、録画装置３０１は、放送波５０１によって録画対象となるコンテンツを受信すると、複数のフォーマットに変換して録画する。そして、録画装置３０１に適したフォーマットのコンテンツをアクティブに設定し、その他のフォーマットのコンテンツを非アクティブに設定する。
【００８２】
具体的には、たとえば、録画装置３０１は、録画対象となるコンテンツＡ、コンテンツＢ、コンテンツＣについて、それぞれフォーマット１およびフォーマット２に変換する。そして、フォーマット１に変換したコンテンツをアクティブに設定し、フォーマット２に変換したコンテンツを非アクティブに設定してそれぞれを録画する。
【００８３】
より具体的には、たとえば、図５では、フォーマット１に変換したコンテンツＡ、コンテンツＢ、コンテンツＣをそれぞれＡ−１、Ｂ−１、Ｃ−１とし、フォーマット２に変換したコンテンツＡ、コンテンツＢ、コンテンツＣをそれぞれＡ−２、Ｂ−２、Ｃ−２としている。また、アクティブに設定されたコンテンツを実線で示し、非アクティブに設定されたコンテンツを破線で示している。
【００８４】
つぎに、図６を用いて、本実施例１にかかる録画装置３０１における再生端末３０３からの転送要求の概要について説明する。図６は、本実施例１にかかる録画装置における再生端末からの転送要求の概要を示す説明図である。
【００８５】
図６において、録画装置３０１は、再生端末３０３が接続され、利用者から録画装置３０１に録画されているコンテンツの転送要求６１０の入力を受け付ける。転送要求６１０は、たとえば、再生端末３０３を介しておこなわれ、図６では、コンテンツＡおよびコンテンツＢの転送を要求することとしている。
【００８６】
つぎに、図７を用いて、本実施例１にかかる録画装置３０１における再生端末３０３のフォーマット情報の概要について説明する。図７は、本実施例１にかかる録画装置における再生端末からのフォーマット情報の受信の概要を示す説明図である。
【００８７】
図７において、録画装置３０１は、再生端末３０３から再生端末３０３に適したフォーマット情報７１０を受信する。フォーマット情報７１０の受信は、たとえば、図６に示した転送要求６１０と共に受信してもよいし、録画装置３０１が転送要求６１０に応じて、再生端末３０３に対して問い合わせることとしてもよい。図７では、たとえば、録画装置３０１は、再生端末３０３に適した（再生可能な）コンテンツのフォーマットが、フォーマット２である旨のフォーマット情報７１０を受信する。
【００８８】
そして、録画装置３０１は、フォーマット情報７１０を受信すると、フォーマット情報７１０に基づいて、アクティブ／非アクティブを設定する。具体的には、たとえば、アクティブ／非アクティブの設定は、転送要求６１０のあったコンテンツＡおよびコンテンツＢについて、再生端末３０３に適したフォーマット２に変換されているＡ−２およびＢ−２をアクティブに設定すると共に、Ａ−１およびＢ−１を非アクティブに設定する。
【００８９】
つづいて、図８を用いて、本実施例１にかかる録画装置３０１におけるコンテンツの転送の概要について説明する。図８は、本実施例１にかかる録画装置におけるコンテンツの転送の概要を示す説明図である。
【００９０】
図８において、録画装置３０１は、Ａ−２およびＢ−２を再生端末３０３へ転送出力８１０する。具体的には、たとえば、アクティブに設定された再生端末３０３に適したフォーマット２のＡ−２およびＢ−２を再生端末３０３へ転送出力８１０する。その後、再生端末３０３によって、Ａ−２およびＢ−２が再生可能となる。
【００９１】
このように、録画装置３０１、再生端末３０３において、それぞれのコンテンツ（コンテンツＡ、コンテンツＢ、コンテンツＣ）に対して、アクティブが設定されているのは、常に１つだけとなり、著作権の保護を図ることができる。
【００９２】
ここで、図９を用いて、本実施例１にかかる録画装置３０１におけるコンテンツの返却の概要について説明する。図９は、本実施例１にかかる録画装置におけるコンテンツの返却の概要を示す説明図である。
【００９３】
図９において、再生端末３０３によってＡ−２およびＢ−２の再生が終了すると、再生端末３０３は、録画装置３０１に対して返却出力９１０をおこなう。返却出力９１０は、たとえば、録画装置３０１に対する再生指示や、録画装置３０１に対して他の再生端末３０３からＡ−２やＢ−２の転送要求があった場合における、録画装置３０１の返却要求に応じておこなうこととしてもよい。
【００９４】
つぎに、図１０を用いて、本実施例１にかかる録画装置３０１におけるコンテンツの返却後の概要について説明する。図１０は、本実施例１にかかる録画装置におけるコンテンツの返却後の概要を示す説明図である。
【００９５】
図１０において、録画装置３０１は、再生端末３０３からＡ−２およびＢ−２が返却されると、録画装置３０１に適したフォーマット１をアクティブに再設定し、フォーマット２を非アクティブに再設定し、再生端末３０３との接続を切断１０１０する。すなわち、Ａ−１およびＢ−１をアクティブに設定し、Ａ−２およびＢ−２を非アクティブに設定して、録画装置３０１への再生指示や、他の再生端末３０３からの転送要求に備えることとなる。
【００９６】
図５〜図１０に示した例では、録画装置３０１においてフォーマット変換をおこなうフォーマットの種類は、録画装置３０１に適したフォーマット１と、再生端末３０３に適したフォーマット２について説明したが、その他のフォーマットについて変換できる構成でもよい。
【００９７】
具体的には、たとえば、利用者によって接続される機器（再生端末３０３など）に適したフォーマットに変換する構成でもよく、接続された過去の履歴に基づいて、フォーマット変換をおこなってもよい。より具体的には、たとえば、より最近の接続や、頻度の高い接続の履歴となる機器に適したフォーマットを選択することとしてもよい。
【００９８】
また、フォーマットの選択は、たとえば、フォーマット処理に要する時間に応じて選択してもよい。すなわち、フォーマット変換に所定以上の時間を要するフォーマットについて変換しておき、短時間で変換処理できるフォーマットは転送時にフォーマット変換を行うこととしてもよい。このように、フォーマットの選択の最適化によって、効率的な運用を図りつつ、記録容量の有効利用を実現することができる。
【００９９】
（録画装置の処理の内容）
つぎに、図１１〜図１３を用いて、本実施例１にかかる録画装置３０１の処理の内容について説明する。図１１は、本実施例１にかかる録画装置のコンテンツの録画処理手順について示すフローチャートである。図１１のフローチャートにおいて、まず、通信Ｉ／Ｆ４１３によって、コンテンツを受信する（ステップＳ１１０１）。コンテンツの受信は、たとえば、図３に示したコンテンツ配信装置３０２によって配信されるコンテンツを受信することとしてもよい。
【０１００】
そして、入力デバイス４１０によって、コンテンツの録画の指示を受け付けたか否かを判断する（ステップＳ１１０２）。コンテンツの録画の指示は、たとえば、利用者によって、コンテンツの配信される時間帯やチャンネルなどの予約を受け付けることとしてもよい。
【０１０１】
ステップＳ１１０２において、録画の指示を受け付けない場合は（ステップＳ１１０２：Ｎｏ）、ステップＳ１１０１へ戻って処理を繰り返し、ステップＳ１１０２において録画の指示を受け付けた場合（ステップＳ１１０２：Ｙｅｓ）は、ＣＰＵ４０１によって録画フォーマット情報を取得する（ステップＳ１１０３）。録画フォーマット情報の取得は、たとえば、録画装置３０１に接続された再生端末３０３の履歴情報に基づいて取得することとしてもよい。
【０１０２】
つぎに、磁気ディスク４０５や光ディスク４０７などの記録媒体によって、録画フォーマット情報に応じてコンテンツを録画する（ステップＳ１１０４）。具体的には、たとえば、コンテンツの録画は、ステップＳ１１０１において受信されたコンテンツを、ステップＳ１１０２において受け付けた録画の指示に応じてコンテンツを録画する際、録画フォーマット情報におけるフォーマットに変換して記録する構成でもよい。
【０１０３】
そして、ＣＰＵ４０１によってステップＳ１１０４において実行されている録画が終了したか否かを判断する（ステップＳ１１０５）。ステップＳ１１０５において、録画が終了していない場合（ステップＳ１１０５：Ｎｏ）は、ステップＳ１１０４へ戻って、録画を継続する。
【０１０４】
また、ステップＳ１１０５において、録画が終了した場合（ステップＳ１１０５：Ｙｅｓ）は、ＣＰＵ４０１によって、ステップＳ１１０４において録画されたコンテンツに対して、アクティブ／非アクティブを設定して（ステップＳ１１０６）、一連の録画処理を終了する。
【０１０５】
図１２は、本実施例１にかかる録画装置のコンテンツの転送処理手順について示すフローチャートである。図１２のフローチャートにおいて、まず、通信Ｉ／Ｆ４１３によって、再生端末３０３から転送要求を受け付けたか否かを判断する（ステップＳ１２０１）。
【０１０６】
ステップＳ１２０１において、転送要求を受け付けるのを待って、受け付けた場合（ステップＳ１２０１：Ｙｅｓ）は、通信Ｉ／Ｆ４１３によって、転送要求の要求元となった再生端末３０３に適したフォーマットに関するフォーマット情報を取得する（ステップＳ１２０２）。
【０１０７】
そして、ＣＰＵ４０１によって、ステップＳ１２０１において受け付けた転送要求による転送対象コンテンツがあるか否かを判断する（ステップＳ１２０３）。具体的には、たとえば、図１１に示したステップＳ１１０４において録画されたコンテンツの中に転送対象コンテンツがあるか検索する。
【０１０８】
ステップＳ１２０３において、転送対象コンテンツがある場合（ステップＳ１２０３：Ｙｅｓ）は、ＣＰＵ４０１によって、転送対象コンテンツのフォーマットに関して、アクティブ／非アクティブを設定する（ステップＳ１２０４）。
【０１０９】
具体的には、たとえば、アクティブ／非アクティブの設定は、転送要求の要求元の再生端末３０３に適したフォーマットがアクティブに設定されていれば、そのままの設定を維持する。また、転送要求の要求元の再生端末３０３に適したフォーマットが非アクティブに設定されていれば、アクティブに設定されたアクティブコンテンツを非アクティブに設定し、非アクティブに設定された非アクティブコンテンツのうち再生端末３０３に適したフォーマットの非アクティブコンテンツをアクティブコンテンツに設定する。
【０１１０】
また、アクティブ／非アクティブを設定する際に、再生端末３０３に適したフォーマットのコンテンツがない場合は、アクティブに設定されたコンテンツを非アクティブに設定すると共に、再生端末３０３に適したフォーマットに変換したコンテンツを生成して、アクティブに設定することとしてもよい。
【０１１１】
そして、通信Ｉ／Ｆ４１３によって、再生端末３０３に、ステップＳ１２０４においてアクティブに設定されたアクティブコンテンツを転送し（ステップＳ１２０５）、一連の転送処理を終了する。
【０１１２】
また、ステップＳ１２０３において、転送対象コンテンツがない場合（ステップＳ１２０３：Ｎｏ）は、通信Ｉ／Ｆ４１３によって、再生端末３０３に転送不可通知をおこない（ステップＳ１２０６）、一連の転送処理を終了する。
【０１１３】
図１３は、本実施例１にかかる録画装置のコンテンツの再生処理手順について示すフローチャートである。図１３のフローチャートにおいて、まず、入力デバイス４１０によって、コンテンツの再生指示を受け付けたか否かを判断する（ステップＳ１３０１）。再生指示は、たとえば、利用者によって入力される、録画装置３０１に録画されているコンテンツの再生指示である。
【０１１４】
ステップＳ１３０１において、再生指示を受け付けるのを待って、受け付けた場合（ステップＳ１３０１：Ｙｅｓ）は、ＣＰＵ４０１によって、再生指示を受け付けたコンテンツがアクティブコンテンツか否かを判断する（ステップＳ１３０２）。
【０１１５】
ステップＳ１３０２において、アクティブコンテンツであった場合（ステップＳ１３０２：Ｙｅｓ）は、ステップＳ１３０５へ移行して、スピーカ４０９やディスプレイ４１２によって、該アクティブコンテンツを再生して（ステップＳ１３０５）、一連の再生処理を終了する。
【０１１６】
ステップＳ１３０２において、アクティブコンテンツでなかった場合（ステップＳ１３０２：Ｎｏ）は、ＣＰＵ４０１によって、録画装置３０１と接続可能な再生端末３０３にアクティブコンテンツがあるか否かを判断する（ステップＳ１３０３）。すなわち、ステップＳ１３０１において再生指示を受け付けたコンテンツが非アクティブコンテンツであった場合、他の再生端末にアクティブコンテンツを転送した後であるため、アクティブコンテンツを接続可能な再生端末３０３から検索することとなる。
【０１１７】
ステップＳ１３０３において、録画装置３０１と接続可能な再生端末３０３にアクティブコンテンツがなかった場合（ステップＳ１３０３：Ｎｏ）は、スピーカ４０９やディスプレイ４１２によって、利用者に再生不可通知をおこない（ステップＳ１３０６）、一連の転送処理を終了する。
【０１１８】
また、ステップＳ１３０３において、録画装置３０１と接続可能な再生端末３０３にアクティブコンテンツがあった場合（ステップＳ１３０３：Ｙｅｓ）は、通信Ｉ／Ｆ４１３によって、アクティブコンテンツの返却を受け付ける（ステップＳ１３０４）。アクティブコンテンツの返却は、たとえば、再生端末３０３に対して返却要求をおこなうことによって実行する構成でもよい。
【０１１９】
そして、スピーカ４０９やディスプレイ４１２によって、ステップＳ１３０４において返却されたアクティブコンテンツを再生して（ステップＳ１３０５）、一連の再生処理を終了する。
【０１２０】
以上説明したように、本実施例１にかかる録画装置によれば、たとえば、配信されるコンテンツ（配信される一のコンテンツ）を異なる複数のフォーマットで録画するため、複数のフォーマットのうち、録画装置に適したフォーマットとは異なるフォーマットでコンテンツを再生する再生端末が該コンテンツを要求した場合、あらかじめ、当該再生端末に適したフォーマットのコンテンツが用意されていることから、迅速に再生端末にその適したフォーマットのコンテンツを転送することができる。すなわち、再生端末がコンテンツを要求してからフォーマット変換処理をおこなわなくてもよく、効率的にコンテンツを転送することができる。
【０１２１】
また、異なる複数のフォーマットは、録画装置に接続される再生機器の性能や、接続された再生機器の履歴に応じて選択される構成であるため、録画するコンテンツのフォーマットの最適化を図ることができる。
【０１２２】
また、複数のフォーマットのコンテンツを録画する際には、複製を生成する回数の制限や、転送の可否に関する制限に応じて、アクティブ／非アクティブを設定することができるため、適切に著作権者の保護を図ると共に、回数の制限を無駄に消費することなく、利用者の利便性を高めることができる。くわえて、コンテンツの転送の際にも、アクティブ／非アクティブを設定することで、適切に著作権の保護を図ることができる。
【実施例２】
【０１２３】
つぎに、本発明の実施例２について説明する。本実施例２では、前述の実施例１で説明した録画装置３０１によって録画されたコンテンツについて、再生端末３０３へコピーの送信をおこなう場合について説明する。なお、本実施例２にかかる録画装置３０１を用いたコンテンツ録画システム３００の概要については図３、録画装置３０１のハードウェア構成については図４とそれぞれほぼ同様であるため説明を省略する。
【０１２４】
（コンテンツのコピーの送信の概要）
ここで、図１４および図１５を用いて、本実施例２にかかる録画装置３０１および再生端末３０３によるコンテンツのコピーの送信の概要について説明する。本実施例２では、コンテンツの録画の概要については、図５とほぼ同様であり、コンテンツのコピーの送信要求については、図６における転送要求をコピーの送信要求とすることで同様の機能を実現し、フォーマット情報の受信の概要については、図７とほぼ同様であるため説明を省略する。
【０１２５】
図１４は、本実施例２にかかる録画装置によるコンテンツのコピーの送信の概要を示す説明図である。なお、図１４では、前述の図５〜図１０に示した構成と同様の構成については、同じ符号を付して説明する。
【０１２６】
図１４において、録画装置３０１は、Ａ−２およびＢ−２のコピーであるＡ−２（１）およびＢ−２（１）を再生端末３０３へ出力１４１０する。具体的には、たとえば、アクティブに設定された再生端末３０３に適したフォーマット２のＡ−２およびＢ−２のコピーであるＡ−２（１）およびＢ−２（１）を生成し、再生端末３０３へ出力１４１０する。その後、再生端末３０３によって、Ａ−２（１）およびＢ−２（１）が再生可能となる。
【０１２７】
このように、録画装置３０１、再生端末３０３において、それぞれのコンテンツ（コンテンツＡ、コンテンツＢ、コンテンツＣ）に対して、コピーの回数の制限にしたがって、アクティブに設定し、著作権の保護を図ることができる。
【０１２８】
つぎに、図１５を用いて、本実施例２にかかる録画装置３０１におけるコンテンツのコピーの送信後の概要について説明する。図１５は、本実施例２にかかる録画装置におけるコンテンツのコピーの送信後の概要を示す説明図である。
【０１２９】
図１５において、録画装置３０１は、再生端末３０３にＡ−２（１）およびＢ−２（１）を送信すると、録画装置３０１に適したフォーマット１をアクティブに再設定し、フォーマット２を非アクティブに再設定する。すなわち、Ａ−１およびＢ−１をアクティブに設定し、Ａ−２およびＢ−２を非アクティブに設定して、録画装置３０１への再生指示や、他の再生端末３０３からのコピーの送信要求に備えることとなる。
【０１３０】
（録画装置の処理の内容）
つぎに、図１６を用いて、本実施例２にかかる録画装置３０１の処理の内容について説明する。なお、コンテンツの録画処理については、図１１とほぼ同様であるため説明を省略する。図１６は、本実施例２にかかる録画装置のコンテンツのコピーの送信処理手順について示すフローチャートである。図１６のフローチャートにおいて、まず、通信Ｉ／Ｆ４１３によって、再生端末３０３からコピー要求を受け付けたか否かを判断する（ステップＳ１６０１）。
【０１３１】
ステップＳ１６０１において、コピー要求を受け付けるのを待って、受け付けた場合（ステップＳ１６０１：Ｙｅｓ）は、通信Ｉ／Ｆ４１３によって、コピー要求の要求元となった再生端末３０３に適したフォーマットに関するフォーマット情報を取得する（ステップＳ１６０２）。
【０１３２】
そして、ＣＰＵ４０１によって、ステップＳ１６０１において受け付けたコピー要求によるコピー可能なコンテンツがあるか否かを判断する（ステップＳ１６０３）。具体的には、たとえば、図１１に示したステップＳ１１０４において録画されたコンテンツにおいて設定されたコピーの回数の制限などに従って、コピー可能なコンテンツがあるか検索する。
【０１３３】
ステップＳ１６０３において、コピー可能なコンテンツがある場合（ステップＳ１６０３：Ｙｅｓ）は、ＣＰＵ４０１によって、コピー可能なコンテンツのフォーマットに関して、アクティブ／非アクティブを設定する（ステップＳ１６０４）。
【０１３４】
具体的には、たとえば、アクティブ／非アクティブの設定は、コピー要求の要求元の再生端末３０３に適したフォーマットがアクティブに設定されていれば、そのままの設定を維持する。また、コピー要求の要求元の再生端末３０３に適したフォーマットが非アクティブに設定されていれば、アクティブに設定されたアクティブコンテンツを非アクティブに設定し、非アクティブに設定された非アクティブコンテンツのうち再生端末３０３に適したフォーマットの非アクティブコンテンツをアクティブコンテンツに設定する。
【０１３５】
また、アクティブ／非アクティブを設定する際に、再生端末３０３に適したフォーマットのコンテンツがない場合は、アクティブに設定されたコンテンツを非アクティブに設定すると共に、再生端末３０３に適したフォーマットに変換したコンテンツを生成して、アクティブに設定することとしてもよい。
【０１３６】
そして、通信Ｉ／Ｆ４１３によって、再生端末３０３に、ステップＳ１６０４においてアクティブに設定されたアクティブコンテンツのコピーを送信する（ステップＳ１６０５）。
【０１３７】
その後、ステップＳ１６０４において設定されたアクティブ／非アクティブを再設定して（ステップＳ１６０６）、一連のコピーの送信処理を終了する。アクティブ／非アクティブの再設定は、たとえば、録画装置３０１に適したフォーマットのコンテンツをアクティブ、他のフォーマットのコンテンツを非アクティブに設定する。
【０１３８】
また、ステップＳ１６０３において、コピー可能なコンテンツがない場合（ステップＳ１６０３：Ｎｏ）は、通信Ｉ／Ｆ４１３によって、再生端末３０３にコピー不可通知をおこない（ステップＳ１６０７）、一連のコピーの送信処理を終了する。
【０１３９】
以上説明したように、本実施例２にかかる録画装置によれば、たとえば、配信されるコンテンツ（配信される一のコンテンツ）を異なる複数のフォーマットで録画するため、複数のフォーマットのうち、録画装置に適したフォーマットとは異なるフォーマットでコンテンツを再生する再生端末が該コンテンツをコピーの要求した場合、あらかじめ、該再生端末に適したフォーマットのコンテンツが用意されていることから、迅速に再生端末に適したフォーマットのコンテンツのコピーを送信することができる。すなわち、再生端末がコンテンツのコピーを要求してからフォーマット変換処理をおこなわなくてもよく、効率的にコンテンツのコピーを送信することができる。
【０１４０】
また、異なる複数のフォーマットは、録画装置に接続される再生機器の性能や、接続された再生機器の履歴に応じて選択される構成であるため、録画するコンテンツのフォーマットの最適化を図ることができる。
【０１４１】
また、複数のフォーマットのコンテンツを録画する際には、複製を生成する回数の制限や、転送の可否に関する制限に応じて、アクティブ／非アクティブを設定することができるため、適切に著作権者の保護を図ると共に、回数の制限を無駄に消費することなく、利用者の利便性を高めることができる。くわえて、コンテンツの転送の際にも、アクティブ／非アクティブを設定することで、適切に著作権の保護を図ることができる。
【０１４２】
なお、前述した実施例１および実施例２では、録画装置に録画されたコンテンツの転送とコピーの送信とに分けてそれぞれを説明したが、実施例１および実施例２の機能を兼ね備える構成としてもよい。このようにすることで、録画されたコンテンツに対する転送要求やコピーの送信要求に適切に応じることができ、利用者の利便性の向上を図ることができる。また、複製に関する制限の設定されたコンテンツと転送に関する制限の設定されたコンテンツの両方を一の録画装置で扱えることができる。
【０１４３】
また、実施例１および実施例２では録画装置によって本発明の情報記録装置を実施した場合について説明したが、利用者の携帯端末や、ＰＣ（パーソナル・コンピュータ）によって実施することとしてもよく、汎用性の向上を図ることができる。
【０１４４】
なお、本実施の形態で説明した情報記録再生方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【符号の説明】
【０１４５】
１００  情報記録装置
１０１  入力部
１０２  取得部
１０３  変換部
１０４  設定部
１０５  記録部
１０６  判定部
１０７  出力部
【手続補正２】
【補正対象書類名】特許請求の範囲
【補正対象項目名】全文
【補正方法】変更
【補正の内容】
【特許請求の範囲】
【請求項１】
コンテンツの入力を受け付ける入力手段と、
自装置に接続可能な再生機器で再生可能となるフォーマットに関するフォーマット情報を取得する取得手段と、
前記入力手段によって一のコンテンツの入力を受け付けた際に、前記取得手段によって取得されたフォーマット情報に基づいて当該一のコンテンツに対するフォーマットを複数の異なるフォーマットに変換する変換手段と、
前記変換手段によって変換された前記複数の異なるフォーマットのうち、自装置で再生可能となる一のフォーマットの前記一のコンテンツを、再生、複製または転送可能とするアクティブに設定し、当該一のフォーマットとは異なる他のフォーマットの前記一のコンテンツを、再生、複製または転送不可能とする非アクティブに設定する設定手段と、
前記設定手段によって設定された、前記複数の異なるフォーマットに変換された前記一のコンテンツを記録する記録手段と、
を備え、
前記設定手段は、前記再生機器による一のコンテンツの転送、または複製要求に応じて、当該再生機器で再生可能となるフォーマットが前記他のフォーマットであった場合、当該他のフォーマットの前記一のコンテンツをアクティブに変更し、前記一のフォーマットの前記一のコンテンツを非アクティブに変更することを特徴とする情報記録再生装置。
【請求項２】
前記変換手段は、前記コンテンツの取得要求をおこなう、当該コンテンツの前記再生機器が再生可能なフォーマットに応じて、前記コンテンツのフォーマットを変換することを特徴とする請求項１に記載の情報記録再生装置。
【請求項３】
前記変換手段は、前記再生機器からの取得要求の履歴に関する履歴情報に応じて、前記コンテンツのフォーマットを変換することを特徴とする請求項２に記載の情報記録再生装置。
【請求項４】
前記入力手段は、前記コンテンツの複製に関する制限が設定された当該コンテンツの入力を受け付け、
前記入力手段によって入力された複製に関する制限にしたがい、前記コンテンツを再生する再生機器からの当該コンテンツの複製を要求する前記取得要求に応じて、当該再生機器が再生可能な当該コンテンツの複製を当該再生機器に出力する出力手段をさらに備えることを特徴とする請求項１に記載の情報記録再生装置。
【請求項５】
前記設定手段は、前記出力手段によって、前記再生機器が再生可能なフォーマットのコンテンツの複製が出力された後、前記一のフォーマットをアクティブに再設定し、当該再生機器が再生可能なフォーマットを非アクティブに再設定することを特徴とする請求項４に記載の情報記録再生装置。
【請求項６】
前記入力手段は、前記コンテンツの転送に関する制限が設定された当該コンテンツの入力を受け付け、
前記入力手段によって入力された転送に関する制限にしたがい、前記コンテンツを再生する再生機器から、当該コンテンツの転送を要求する前記取得要求に応じて、当該再生機器が再生可能な当該コンテンツを当該再生機器に転送出力する出力手段をさらに備えることを特徴とする請求項１に記載の情報記録再生装置。
【請求項７】
前記出力手段によって前記コンテンツが転送された後、前記再生機器とは異なる他の再生機器からの前記コンテンツの取得要求があった場合、当該再生機器に当該コンテンツの返却要求をおこなう要求手段をさらに備え、
前記設定手段は、前記他の再生機器が再生可能なフォーマットがある場合、当該他の再生機器が再生可能なフォーマットのコンテンツをアクティブに設定し、当該他の再生機器が再生可能なフォーマットのコンテンツ以外を非アクティブに設定し、
前記出力手段は、前記入力手段によって入力された転送に関する制限にしたがい、前記他の再生機器からの前記コンテンツの取得要求に応じて、当該他の再生機器が再生可能な当該コンテンツを当該他の再生機器に転送出力することを特徴とする請求項６に記載の情報記録再生装置。
【請求項８】
コンテンツの入力を受け付ける入力工程と、
自装置に接続可能な再生機器で再生可能となるフォーマットに関するフォーマット情報を取得する取得工程と、
前記入力工程によって一のコンテンツの入力を受け付けた際に、前記取得工程によって取得されたフォーマット情報に基づいて当該一のコンテンツに対するフォーマットを複数の異なるフォーマットに変換する変換工程と、
前記変換工程によって変換された前記複数の異なるフォーマットのうち、自装置で再生可能となる一のフォーマットの前記一のコンテンツを、再生、複製または転送可能とするアクティブに設定し、当該一のフォーマットとは異なる他のフォーマットの前記一のコンテンツを、再生、複製または転送不可能とする非アクティブに設定する設定工程と、
前記設定工程によって設定された、前記複数の異なるフォーマットに変換された前記一のコンテンツを記録する記録工程と、
を含み、
前記設定工程は、前記再生機器による一のコンテンツの転送、または複製要求に応じて、当該再生機器で再生可能となるフォーマットが前記他のフォーマットであった場合、当該他のフォーマットの前記一のコンテンツをアクティブに変更し、前記一のフォーマットの前記一のコンテンツを非アクティブに変更することを特徴とする情報記録再生方法。
【請求項９】
請求項８に記載の情報記録再生方法をコンピュータに実行させることを特徴とする情報記録再生プログラム。
【請求項１０】
請求項９に記載の情報記録再生プログラムを記録したことを特徴とするコンピュータに読み取り可能な記録媒体。
【手続補正３】
【補正対象書類名】図面
【補正対象項目名】図３
【補正方法】変更
【補正の内容】
【図３】
2008096437.tif 000019
【国際調査報告】
2008096437.tif 000020
2008096437.tif 000021